(57)【特許請求の範囲】
【請求項１】
ユーザ機器（ＵＥ）によるワイヤレス通信のための方法であって、
アップリンク通信又はダウンリンク通信のいずれかについて動的に管理される１つまたは複数のフレキシブルサブフレームをサブフレームのセット内で識別することと、
現在のフレキシブルサブフレームがアップリンク通信のためのものかどうかを決定することと、
前記現在のフレキシブルサブフレームがアップリンク通信のためのものであるという前記決定に基づいて、前記現在のフレキシブルサブフレームについて、チャネル測定、干渉測定、又はチャネル状態報告のうちの少なくとも１つを実行することと、ここにおいて、前記決定に基づいて、前記現在のフレキシブルサブフレームについて、チャネル測定、干渉測定、又はチャネル状態報告を前記実行することは、
前記現在のフレキシブルサブフレームの最後のシンボルにおけるチャネル状態情報基準信号（ＣＳＩ−ＲＳ）又は干渉測定リソース（ＩＭＲ）のうちの少なくとも１つに基づいてダウンリンクチャネル測定を実行することを備える、
を備える方法。
【請求項２】
前記決定することは、
前記現在のフレキシブルサブフレームがアップリンク通信のためのものであるという明示的なインジケーションを受信することを備える、請求項１に記載の方法。
【請求項３】
前記明示的なインジケーションは、ブロードキャストシグナリング又は専用シグナリングのうちの少なくとも１つを介して受信される、請求項２に記載の方法。
【請求項４】
ブロードキャストシグナリング又は専用シグナリングのうちの前記少なくとも１つは、前記現在のフレキシブルサブフレームとは異なるサブフレームにおいて受信される、請求項３に記載の方法。
【請求項５】
前記決定することは、
前記現在のフレキシブルサブフレームにおいて１つまたは複数のアップリンク信号のブラインド検出を実行することを備える、請求項１に記載の方法。
【請求項６】
前記１つまたは複数のアップリンク信号は、サウンディング基準信号（ＳＲＳ）、物理アップリンク制御チャネル（ＰＵＣＣＨ）、又は物理アップリンク共有チャネル（ＰＵＳＣＨ）のうちの少なくとも１つを備える、請求項５に記載の方法。
【請求項７】
前記決定に基づいて、前記現在のフレキシブルサブフレームについて、チャネル測定、干渉測定、又はチャネル状態報告を前記実行することが、チャネル測定又は干渉測定のうちの少なくとも１つについて前記現在のフレキシブルサブフレームをスキップすることを備える、請求項１に記載の方法。
【請求項８】
前記決定に基づいて、前記現在のフレキシブルサブフレームについて、チャネル測定、干渉測定、又はチャネル状態報告を前記実行することが、システム帯域幅の一部を使用して、又は全システム帯域幅を使用して、チャネル測定又は干渉測定を実行することを備える、請求項１に記載の方法。
【請求項９】
前記決定に基づいて、前記現在のフレキシブルサブフレームについて、チャネル測定、干渉測定、又はチャネル状態報告を前記実行することが、前記現在のフレキシブルサブフレームについてＣＳＩを報告することをスキップすることを備える、請求項１に記載の方法。
【請求項１０】
前記決定に基づいて、前記現在のフレキシブルサブフレームについて、チャネル測定、干渉測定、又はチャネル状態報告を前記実行することが、前記現在のフレキシブルサブフレームについてＣＳＩに関する所定の値を報告することを備え、ここで、前記所定の値は範囲外（ＯＯＲ）又は０である、請求項１に記載の方法。
【請求項１１】
前記決定に基づいて、前記現在のフレキシブルサブフレームについて、チャネル測定、干渉測定、又はチャネル状態報告を前記実行することが、前記現在のフレキシブルサブフレームの前の１つまたは複数のサブフレームにおいて実行された測定に基づいて前記現在のフレキシブルサブフレームについてＣＳＩに関する値を報告することを備える、請求項１に記載の方法。
【請求項１２】
前記決定に基づいて、前記現在のフレキシブルサブフレームについて、チャネル測定、干渉測定、又はチャネル状態報告を前記実行することが、セル固有基準信号（ＣＲＳ）、ＣＳＩ−ＲＳ、又はＩＭＲのうちの少なくとも１つに基づいてダウンリンクチャネル測定又は干渉測定を実行することを備える、請求項１に記載の方法。
【請求項１３】
物理アップリンク制御チャネル（ＰＵＣＣＨ）又は物理アップリンク共有チャネル（ＰＵＳＣＨ）のうちの少なくとも１つが、前記現在のフレキシブルサブフレームの前記最後のシンボルを使用しない、請求項１に記載の方法。
【請求項１４】
前記ＵＥは、ダウンリンクチャネル測定のために使用され得る前記現在のフレキシブルサブフレームの前記最後のシンボルにおいて新たなＣＳＩ−ＲＳおよびＩＭＲを指定する、請求項１３に記載の方法。
【請求項１５】
基地局によるワイヤレス通信のための方法であって、
アップリンク通信又はダウンリンク通信のいずれかについて動的に管理される１つまたは複数のフレキシブルサブフレームをサブフレームのセット内で識別することと、
現在のフレキシブルサブフレームがアップリンク通信のためのものかどうかを決定することと、
前記現在のフレキシブルサブフレームの最後のシンボルにおいてユーザ機器（ＵＥ）にチャネル状態情報基準信号（ＣＳＩ−ＲＳ）又は干渉測定リソース（ＩＭＲ）のうちの少なくとも１つを送信することと、
前記少なくとも１つのＣＳＩ−ＲＳまたはＩＭＲに基づいて前記ＵＥから前記現在のフレキシブルサブフレームについてチャネル状態情報（ＣＳＩ）フィードバックを受信することと、
前記現在のフレキシブルサブフレームがアップリンク通信のためのものであるという前記決定に基づいて前記ＣＳＩフィードバックを処理することと
を備える方法。
【請求項１６】
前記決定の明示的なインジケーションを前記ＵＥに送信することをさらに備える、請求項１５に記載の方法。
【請求項１７】
前記明示的なインジケーションは、ブロードキャストシグナリング又は専用シグナリングのうちの少なくとも１つを介して送信される、請求項１６に記載の方法。
【請求項１８】
ブロードキャストシグナリング又は専用シグナリングのうちの前記少なくとも１つは、前記現在のフレキシブルサブフレームとは異なるサブフレームにおいて送信される、請求項１７に記載の方法。
【請求項１９】
ユーザ機器（ＵＥ）によるワイヤレス通信のための装置であって、
少なくとも１つのプロセッサであって、
アップリンク通信又はダウンリンク通信のいずれかについて動的に管理される１つまたは複数のフレキシブルサブフレームをサブフレームのセット内で識別することと、
現在のフレキシブルサブフレームがアップリンク通信のためのものかどうかを決定することと、
前記現在のフレキシブルサブフレームがアップリンク通信のためのものであるという前記決定に基づいて、前記現在のフレキシブルサブフレームについて、チャネル測定、干渉測定、又はチャネル状態報告のうちの少なくとも１つを実行することと、ここにおいて、前記少なくとも１つのプロセッサは、
前記現在のフレキシブルサブフレームの最後のシンボルにおけるチャネル状態情報基準信号（ＣＳＩ−ＲＳ）又は干渉測定リソース（ＩＭＲ）のうちの少なくとも１つに基づいてダウンリンクチャネル測定を実行することによって、前記現在のフレキシブルサブフレームについて、チャネル測定、干渉測定、又はチャネル状態報告を実行する、
を行うように構成された少なくとも１つのプロセッサと、
前記少なくとも１つのプロセッサに結合されたメモリと
を備える装置。
【請求項２０】
前記現在のフレキシブルサブフレームがアップリンク通信のためのものであるという明示的なインジケーションを受信するように構成されたインターフェースを備え、前記決定は、前記明示的なインジケーションに基づく、請求項１９に記載の装置。
【請求項２１】
前記少なくとも１つのプロセッサは、前記現在のフレキシブルサブフレームにおいて１つまたは複数のアップリンク信号のブラインド検出を実行するようにさらに構成され、
前記決定は、前記ブラインド検出に基づく、請求項１９に記載の装置。
【請求項２２】
前記少なくとも１つのプロセッサは、チャネル測定又は干渉測定のうちの少なくとも１つについて前記現在のフレキシブルサブフレームをスキップすることによって、前記決定に基づいて、前記現在のフレキシブルサブフレームについて、チャネル測定、干渉測定、又はチャネル状態報告を実行する、請求項１９に記載の装置。
【請求項２３】
基地局によるワイヤレス通信のための装置であって、
少なくとも１つのプロセッサであって、
アップリンク通信又はダウンリンク通信のいずれかについて動的に管理される１つまたは複数のフレキシブルサブフレームをサブフレームのセット内で識別することと、
現在のフレキシブルサブフレームがアップリンク通信のためのものかどうかを決定することと、
前記現在のフレキシブルサブフレームの最後のシンボルにおいてユーザ機器（ＵＥ）にチャネル状態情報基準信号（ＣＳＩ−ＲＳ）又は干渉測定リソース（ＩＭＲ）のうちの少なくとも１つを送信することと、
前記少なくとも１つのＣＳＩ−ＲＳまたはＩＭＲに基づいて前記ＵＥから前記現在のフレキシブルサブフレームについてチャネル状態情報（ＣＳＩ）フィードバックを受信することと、
前記現在のフレキシブルサブフレームがアップリンク通信のためのものであるという前記決定に基づいて前記ＣＳＩフィードバックを処理することと、
を行うように構成された少なくとも１つのプロセッサと、
前記少なくとも１つのプロセッサに結合されたメモリと
を備える装置。
【請求項２４】
前記決定の明示的なインジケーションを、前記ＵＥに送信するように構成されたインターフェースをさらに備える、請求項２３に記載の装置。
【発明の詳細な説明】
【優先権の主張】
【０００１】
米国特許法第１１９条の下での優先権の主張
[0001]本出願は、２０１３年５月１７日に出願された米国特許仮出願第６１／８２４，５３３号、及び２０１４年５月１３日に出願された米国特許出願第１４／２７５，９４２号の利益を主張するものであり、これらの両方の全体が参照により本明細書に組み込まれる。
【技術分野】
【０００２】
[0002]本開示の特定の態様は、一般に、ワイヤレス通信に関し、より詳細には、ロングタームエボリューション（ＬＴＥ）における、トラフィック適応のための拡張された干渉管理（ｅＩＭＴＡ：enhanced interference management for traffic adaptation）のための、チャネル状態情報（ＣＳＩ）の測定及び報告の技法に関する。
【背景技術】
【０００３】
[0003]ワイヤレス通信ネットワークは、音声、ビデオ、パケットデータ、メッセージング、ブロードキャスト等の様々な通信サービスを提供するために、幅広く展開されている。これらのワイヤレスネットワークは、利用可能なネットワークリソースを共有することにより、マルチプルなユーザをサポートすることができる多元接続ネットワークであり得る。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、及びシングルキャリアＦＤＭＡ（ＳＣ−ＦＤＭＡ）ネットワークを含む。
【０００４】
[0004]ワイヤレス通信ネットワークは、いくつかのユーザ機器（ＵＥ）のための通信をサポートすることが可能な、いくつかの基地局を含み得る。ＵＥは、ダウンリンク及びアップリンクを介して基地局と通信し得る。ダウンリンク（即ち順方向リンク）は、基地局からＵＥへの通信リンクを指し、アップリンク（即ち逆方向リンク）は、ＵＥから基地局への通信リンクを指す。
【０００５】
[0005]基地局は、ダウンリンクにおいてＵＥにデータ及び制御情報を送信することができ、及び／又はアップリンクにおいてＵＥからデータ及び制御情報を受信することができる。ダウンリンクにおいて、基地局からの送信は、近隣の基地局からの送信に起因する干渉を観測し得る。アップリンクにおいて、ＵＥからの送信は、近隣の基地局と通信する他のＵＥからの送信に対して干渉を引き起こし得る。干渉は、ダウンリンク及びアップリンクの両方で性能を低下させ得る。
【発明の概要】
【０００６】
[0006]ロングタームエボリューション（ＬＴＥ）におけるトラフィック適応のための拡張された干渉管理（ｅＩＭＴＡ）のためのチャネル状態情報（ＣＳＩ）の測定及び報告のための技法及び装置が、本明細書で提供される。
【０００７】
[0007]本開示の特定の態様は、ユーザ機器（ＵＥ）によるワイヤレス通信の方法を提供する。この方法は一般に、アップリンク通信又はダウンリンク通信のいずれかについて動的に管理され得る１つまたは複数のフレキシブルサブフレームを、サブフレームのセット内で識別することと、現在のフレキシブルサブフレームがアップリンク通信のためのものか又はダウンリンク通信のためのものかを決定することと、決定に基づいて、チャネル測定、干渉測定、又はチャネル状態報告のうちの少なくとも１つを実行することとを含む。
【０００８】
[0008]本開示の特定の態様は、基地局によるワイヤレス通信の方法を提供する。この方法は一般に、アップリンク通信又はダウンリンク通信のいずれかについて動的に管理され得る１つまたは複数のフレキシブルサブフレームを、サブフレームのセット内で識別することと、現在のフレキシブルサブフレームがアップリンク通信のためのものか又はダウンリンク通信のためのものかを決定することと、ユーザ機器（ＵＥ）からチャネル状態情報（ＣＳＩ）フィードバックを受信することと、決定に基づいてＣＳＩフィードバックを処理することとを含む。
【０００９】
[0009]本開示の特定の態様は、ユーザ機器（ＵＥ）によるワイヤレス通信の方法を提供する。この方法は一般に、アップリンク通信又はダウンリンク通信のいずれかについて動的に管理され得る１つまたは複数のフレキシブルサブフレームを、サブフレームのセット内で識別することと、現在のサブフレームが固定サブフレームであるか又はフレキシブルサブフレームであるかを決定することと、決定に基づいてダウンリンクチャネル測定を実行することとを含む。
【００１０】
[0010]本開示の特定の態様は、ユーザ機器（ＵＥ）によるワイヤレス通信のための装置を提供する。該装置は一般に、アップリンク通信又はダウンリンク通信のいずれかについて動的に管理され得る１つまたは複数のフレキシブルサブフレームを、サブフレームのセット内で識別することと、現在のフレキシブルサブフレームがアップリンク通信のためのものか又はダウンリンク通信のためのものかを決定することと、決定に基づいて、チャネル測定、干渉測定、又はチャネル状態報告のうちの少なくとも１つを実行することと、を行うように構成された、少なくとも１つのプロセッサを含む。装置は、また、一般に、少なくとも１つのプロセッサに結合されたメモリも含む。
【００１１】
[0011]本開示の特定の態様は、基地局によるワイヤレス通信のための装置を提供する。該装置は一般に、アップリンク通信又はダウンリンク通信のいずれかについて動的に管理され得る１つまたは複数のフレキシブルサブフレームを、サブフレームのセット内で識別することと、現在のフレキシブルサブフレームがアップリンク通信のためのものか又はダウンリンク通信のためのものかを決定することと、ユーザ機器（ＵＥ）からチャネル状態情報（ＣＳＩ）フィードバックを受信することと、決定に基づいてＣＳＩフィードバックを処理することと、を行うように構成された、少なくとも１つのプロセッサを含む。装置は、また、一般に、少なくとも１つのプロセッサに結合されたメモリも含む。
【００１２】
[0012]本開示の特定の態様は、ユーザ機器（ＵＥ）によるワイヤレス通信のための装置を提供する。該装置は一般に、アップリンク通信又はダウンリンク通信のいずれかについて動的に管理され得る１つまたは複数のフレキシブルサブフレームを、サブフレームのセット内で識別することと、現在のサブフレームが固定サブフレームであるか又はフレキシブルサブフレームであるかを決定することと、決定に基づいてダウンリンクチャネル測定を実行することと、を行うように構成された、少なくとも１つのプロセッサを含む。装置は、また、一般に、少なくとも１つのプロセッサに結合されたメモリも含む。
【００１３】
[0013]本開示の特定の態様は、ユーザ機器（ＵＥ）によるワイヤレス通信のための装置を提供する。該装置は一般に、アップリンク通信又はダウンリンク通信のいずれかについて動的に管理され得る１つまたは複数のフレキシブルサブフレームを、サブフレームのセット内で識別するための手段と、現在のフレキシブルサブフレームがアップリンク通信のためのものか又はダウンリンク通信のためのものかを決定するための手段と、決定に基づいて、チャネル測定、干渉測定、又はチャネル状態報告のうちの少なくとも１つを実行するための手段とを含む。
【００１４】
[0014]本開示の特定の態様は、ユーザ機器（ＵＥ）によるワイヤレス通信のための装置を提供する。該装置は一般に、アップリンク通信又はダウンリンク通信のいずれかについて動的に管理され得る１つまたは複数のフレキシブルサブフレームを、サブフレームのセット内で識別するための手段と、現在のサブフレームが固定サブフレームであるか又はフレキシブルサブフレームであるかを決定するための手段と、決定に基づいてダウンリンクチャネル測定を実行するための手段とを含む。
【００１５】
[0015]本開示の特定の態様は、ユーザ機器（ＵＥ）によるワイヤレス通信のためのコンピュータプログラム製品を提供する。該コンピュータプログラム製品は一般に、アップリンク通信又はダウンリンク通信のいずれかについて動的に管理され得る１つまたは複数のフレキシブルサブフレームを、サブフレームのセット内で識別することと、現在のフレキシブルサブフレームがアップリンク通信のためのものか又はダウンリンク通信のためのものかを決定することと、決定に基づいて、チャネル測定、干渉測定、又はチャネル状態報告のうちの少なくとも１つを実行することと、のためのコードを備える、コンピュータ可読媒体を含む。
【００１６】
[0016]本開示の特定の態様は、ユーザ機器（ＵＥ）によるワイヤレス通信のためのコンピュータプログラム製品を提供する。該コンピュータプログラム製品は一般に、アップリンク通信又はダウンリンク通信のいずれかについて動的に管理され得る１つまたは複数のフレキシブルサブフレームを、サブフレームのセット内で識別することと、現在のサブフレームが固定サブフレームであるか又はフレキシブルサブフレームであるかを決定することと、決定に基づいてダウンリンクチャネル測定を実行することと、のためのコードを備える、コンピュータ可読媒体を含む。
【００１７】
[0017]方法、装置、システム、コンピュータプログラム製品、及び処理システムを含む、多数の他の態様が提供される。
【００１８】
[0018]本開示の上記の特徴が詳細に理解されるように、以上では簡単に要約されたことのより詳細な説明が諸態様への参照によってなされ、それらの態様のいくつかは、添付の図面に示されている。しかしながら、添付の図面は、本開示の特定の典型的な態様のみを示しており、したがって、説明は、他の同等に効果的な態様を容認し得るので、本開示の範囲を限定するものと見なされるべきではないことに留意されたい。
【図面の簡単な説明】
【００１９】
【図１】[0019]図１は、本開示の特定の態様による、ワイヤレス通信ネットワークの一例を概念的に示す、ブロックダイヤグラムである。
【図２】[0020]図２は、本開示の特定の態様による、ワイヤレス通信ネットワークにおけるフレーム構造の一例を概念的に示す、ブロックダイヤグラムである。
【図２Ａ】[0021]図２Ａは、本開示の特定の態様による、ロングタームエボリューション（ＬＴＥ）における、アップリンク（ＵＬ）のための例示的なフォーマットを示す。
【図３】[0022]図３は、本開示の特定の態様による、ワイヤレス通信ネットワークにおけるユーザ機器デバイス（ＵＥ）と通信するノードＢの一例を概念的に示す、ブロックダイヤグラムを示す。
【図４】[0023]図４は、本開示の特定の態様による、復調された基準信号（ＤＭ−ＲＳ）パターンを示す。
【図５】[0024]図５は、本開示の特定の態様による、ＬＴＥフレームにおける、プライマリ同期信号（ＰＳＳ）、セカンダリ同期信号（ＳＳＳ）、及び物理ブロードキャストチャネル（ＰＢＣＨ）に関するリソース構成を示す。
【図６】[0025]図６は、本開示の特定の態様による、例示的なダウンリンク（ＤＬ）サブフレーム構成及びＵＬサブフレーム構成を示す。
【図７】[0026]図７は、本開示の特定の態様による、２つの特殊サブフレームを有する５ｍｓの切り替え周期を備えた、例示的な時分割複信（ＴＤＤ）フレーム構造を示す。
【図８】[0027]図８は、本開示の特定の態様による、ＵＥによって実施され得るワイヤレス通信のための例示的な動作を示す。
【図９】[0028]図９は、本開示の特定の態様による、ＵＥによって実施され得るワイヤレス通信のための例示的な動作を示す。
【図１０】[0029]図１０は、本開示の特定の態様による、基地局によって実施され得るワイヤレス通信のための例示的な動作を示す。
【詳細な説明】
【００２０】
[0030]ロングタームエボリューション（ＬＴＥ）におけるトラフィック適応のための拡張された干渉管理（ｅＩＭＴＡ）のためのチャネル状態情報（ＣＳＩ）の測定及び報告のための技法及び装置が、本明細書で提供される。特定の態様によれば、ユーザ機器（ＵＥ）は、固定サブフレーム又はフレキシブルサブフレームとしてサブフレームを識別し得る。ＵＥはまた、例えば、受信されたシグナリング又はブラインド検出により、サブフレームがアップリンク送信専用又はダウンリンク送信専用であるかを決定し得る。フレキシブルサブフレームがアップリンクサブフレームであると決定された場合、ＵＥは、そのサブフレームについての干渉測定及び／又はＣＳＩ測定フィルタリングをスキップし得る。代替的には、ＵＥは、システム帯域幅の一部、又は全部を使用して、干渉測定を実施し得る。ＵＥはまた、そのサブフレームについてのＣＳＩ報告を省略し得る。代替的には、ＵＥは、通常通りに報告し、または所定の値を報告し得る。特定の態様によれば、ＵＥは、ダウンリンクチャネル測定に使用され得るサブフレームの最後のシンボルにおいて、新たなＣＳＩ基準信号（ＣＳＩ−ＲＳ）及び干渉測定リソース（ＩＭＲ）構成を指定し得る。ＵＥはまた、ダウンリンク測定に関して無効なサブフレームとして、すべてのフレキシブルサブフレームを指定し得る。
【００２１】
[0031]本明細書に説明される技法は、ＣＤＭＡ、ＴＤＭＡ、ＦＤＭＡ、ＯＦＤＭＡ、ＳＣ−ＦＤＭＡ、及び他のネットワーク等の、様々なワイヤレス通信ネットワークに使用され得る。「ネットワーク」及び「システム」という用語は、しばしば交換可能に使用される。ＣＤＭＡネットワークは、ユニバーサル地上無線アクセス（ＵＴＲＡ）、ｃｄｍａ２０００等の無線技術を実装し得る。ＵＴＲＡは、広帯域ＣＤＭＡ（ＷＣＤＭＡ（登録商標））、及びＣＤＭＡの他の変形を含む。ｃｄｍａ２０００は、ＩＳ−２０００規格、ＩＳ−９５規格、及びＩＳ−８５６規格をカバーする。ＴＤＭＡネットワークは、グローバルシステムフォーモバイルコミュニケーションズ（ＧＳＭ（登録商標））等の無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（ＷｉＦｉ）、ＩＥＥＥ８０２．１６（ＷｉＭＡＸ）、ＩＥＥＥ８０２．２０、フラッシュ−ＯＦＤＭ（登録商標）等の無線技術を実装し得る。ＵＴＲＡ、及びＥ−ＵＴＲＡは、ユニバーサルモバイルテレコミュニケーションシステム（ＵＭＴＳ）の一部である。３ＧＰＰロングタームエボリューション（ＬＴＥ）、及びＬＴＥアドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、及びＧＳＭ（登録商標）は、「第３世代パートナーシッププロジェクト」（３ＧＰＰ）という名称の団体からの文書に説明されている。ｃｄｍａ２０００及びＵＭＢは、「第３世代パートナーシッププロジェクト２」（３ＧＰＰ２）という名称の団体からの文書に説明されている。本明細書に説明される技法は、上述のワイヤレスネットワーク、及び無線技術、並びに他のワイヤレスネットワーク、及び無線技術のために使用され得る。明確にするために、以下では、技法の特定の態様がＬＴＥ／ＬＴＥ−Ａに関して説明され、以下の説明の多くにおいてＬＴＥ／ＬＴＥ−Ａの用語が使用される。
【００２２】
例示的なワイヤレス通信ネットワーク
[0032]図１は、ロングタームエボリューション（ＬＴＥ）ネットワークであり得る、ワイヤレス通信ネットワーク１００を示す。ワイヤレスネットワーク１００は、いくつもの発展型ノードＢ（ｅＮＢ）１１０及び他のネットワークエンティティを含み得る。ｅＮＢは、ユーザ機器デバイス（ＵＥ）と通信する局であり、また、基地局、ノードＢ、アクセスポイント等と呼ばれ得る。各ｅＮＢ１１０は、特定の地理的エリアに通信カバレッジを提供し得る。３ＧＰＰでは、「セル」という用語は、この用語が使用される文脈により、ｅＮＢのカバレッジエリア、及び／又はこのカバレッジエリアにサービスを提供するｅＮＢサブシステムを指し得る。
【００２３】
[0033]ｅＮＢは、マクロセル、ピコセル、フェムトセル、及び／又は他のタイプのセルに通信カバレッジを提供し得る。マクロセルは、比較的大きな地理的エリア（例えば、半径数キロメートル）をカバーし、サービスに加入済みのＵＥによる無制限のアクセスを許可し得る。ピコセルは、比較的小さな地理的エリアをカバーし、サービスに加入済みのＵＥによる無制限のアクセスを許可し得る。フェムトセルは、比較的小さな地理的エリア（例えば、家）をカバーし、フェムトセルとの関連付けを有するＵＥ（例えば、クローズド加入者グループ（ＣＳＧ）のＵＥ、家庭内のユーザ用のＵＥ等）による、制限されたアクセスを許可し得る。マクロセル用のｅＮＢは、マクロｅＮＢ（即ちマクロ基地局）と呼ばれ得る。ピコセル用のｅＮＢは、ピコｅＮＢ（即ちピコ基地局）と呼ばれ得る。フェムトセル用のｅＮＢは、フェムトｅＮＢ（即ちフェムト基地局）、又はホームｅＮＢと呼ばれ得る。図１に示される例では、ｅＮＢ１１０ａ、ｅＮＢ１１０ｂ、及びｅＮＢ１１０ｃは、それぞれ、マクロセル１０２ａ、マクロセル１０２ｂ、及びマクロセル１０２ｃ用のマクロｅＮＢであり得る。ｅＮＢ１１０ｘは、ピコセル１０２ｘ用のピコｅＮＢであり得る。ｅＮＢ１１０ｙ、及びｅＮＢ１１０ｚは、それぞれ、フェムトセル１０２ｙ、及びフェムトセル１０２ｚ用のフェムトｅＮＢであり得る。ｅＮＢは、１つ又はマルチプルな（例えば、３つの）セルをサポートし得る。
【００２４】
[0034]ワイヤレスネットワーク１００はまた、中継局を含み得る。中継局は、上流局（例えば、ｅＮＢ又はＵＥ）からデータ及び／又は他の情報の伝送を受信し、下流局（例えば、ＵＥ又はｅＮＢ）にデータ及び／又は他の情報の伝送を送信する局である。中継局はまた、他のＵＥために伝送を中継するＵＥ（例えば、ＵＥ中継局）であり得る。図１に示される例では、中継局１１０ｒは、ｅＮＢ１１０ａとＵＥ１２０ｒとの間の通信を容易にするために、ｅＮＢ１１０ａ及びＵＥ１２０ｒと通信し得る。中継局はまた、中継ｅＮＢ、中継器等とも呼ばれ得る。
【００２５】
[0035]ワイヤレスネットワーク１００は、例えば、マクロｅＮＢ、ピコｅＮＢ、フェムトｅＮＢ、中継器等の、異なるタイプのｅＮＢを含む、異種ネットワーク（ＨｅｔＮｅｔ）であり得る。これらの異なるタイプのｅＮＢは、ワイヤレスネットワーク１００において、異なる伝送電力レベル、異なるカバレッジエリア、及び干渉についての異なる影響力を有し得る。例えば、マクロｅＮＢは、高伝送電力レベル（例えば、２０ワット）を有し、一方、ピコｅＮＢ、フェムトｅＮＢ、及び中継器は、より低い伝送電力レベル（例えば、１ワット）を有し得る。
【００２６】
[0036]ワイヤレスネットワーク１００は、同期動作又は非同期動作をサポートし得る。同期動作について、ｅＮＢは、類似のフレームタイミングを有し、異なるｅＮＢからの伝送は、時間的にほぼ揃えられ（aligned）得る。非同期動作について、ｅＮＢは、異なるフレームタイミングを有し、異なるｅＮＢからの伝送は、時間的に揃えられない。本明細書に説明される技法は、同期動作及び非同期動作の両方のために使用され得る。
【００２７】
[0037]ネットワークコントローラ１３０は、１セットのｅＮＢに結合し、これらのｅＮＢのために、調整及び制御を提供し得る。ネットワークコントローラ１３０は、バックホールを介してｅＮＢ１１０と通信し得る。ｅＮＢ１１０はまた、例えば、ワイヤレス又はワイヤラインバックホールを介して間接的に、または直接的に、互いと通信し得る。
【００２８】
[0038]ＵＥ１２０（例えば、１２０ｘ、１２０ｙ）は、ワイヤレスネットワーク１００全体にわたって分散され、各ＵＥは、固定式又は移動式であり得る。ＵＥはまた、端末、移動局、加入者ユニット、局等と呼ばれ得る。ＵＥは、携帯電話、スマートフォン、携帯情報端末（ＰＤＡ）、ワイヤレスモデム、ワイヤレス通信デバイス、ハンドヘルドデバイス、ラップトップ／ノートブックコンピュータ、コードレス電話、ワイヤレスローカルループ（ＷＬＬ）局、タブレット等であり得る。ＵＥは、マクロｅＮＢ、ピコｅＮＢ、フェムトｅＮＢ、中継器等と通信することができ得る。図１では、両矢印付きの実線が、ＵＥとサービングｅＮＢとの間の望ましい伝送を示し、サービングｅＮＢとは、ダウンリンク及び／又はアップリンクにおいてＵＥにサービスを提供するように指定されたｅＮＢである。両矢印付きの破線は、ＵＥとｅＮＢとの間の干渉伝送を示す。特定の態様について、ＵＥは、ＬＴＥリリース１０のＵＥを備え得る。
【００２９】
[0039]ＬＴＥは、ダウンリンクにおいては直交周波数分割多重（ＯＦＤＭ）を、アップリンクにおいてはシングルキャリア周波数分割多重（ＳＣ−ＦＤＭ）を利用する。ＯＦＤＭ及びＳＣ−ＦＤＭは、システム帯域幅をマルチプルな（Ｋ個の）直交サブキャリアに区切り、これらのサブキャリアはまた、通常、トーン、ビン等とも呼ばれる。各サブキャリアは、データで変調され得る。一般に、変調シンボルは、ＯＦＤＭにより周波数領域において、及びＳＣ−ＦＤＭにより時間領域において送信される。隣接するサブキャリア間の間隔は固定され、サブキャリアの総数（Ｋ個）は、システム帯域幅に依存し得る。例えば、Ｋは、それぞれ、１．２５、２．５、５、１０、又は２０メガヘルツ（ＭＨｚ）のシステム帯域幅について、１２８、２５６、５１２、１０２４、又は２０４８に等しいものであり得る。システム帯域幅はまた、サブバンドに区切られ得る。例えば、サブバンドは、１．０８ＭＨｚをカバーし、１．２５、２．５、５、１０、又は２０ＭＨｚのシステム帯域幅について、それぞれ、１個、２個、４個、８個、又は１６個のサブバンドがあり得る。
【００３０】
[0040]図２は、ＬＴＥで使用されるフレーム構造を示す。ダウンリンク用の伝送タイムラインは、無線フレームの単位に区切られ得る。各無線フレームは、所定の持続時間（例えば１０ミリ秒（ｍｓ））を有し、０〜９のインデックスを有する１０個のサブフレームに分割され得る。各サブフレームは、２個のスロットを含み得る。したがって、各無線フレームは、０〜１９のインデックスを有する、２０個のスロットを含み得る。各スロットは、Ｌ個のシンボル期間を含み、例えば、（図２に示されるような）ノーマルサイクリックプレフィックスについては、Ｌ＝７のシンボル期間、又は拡張されたサイクリックプレフィックスについては、Ｌ＝６のシンボル期間を含み得る。各サブフレームの２Ｌのシンボル期間には、０〜２Ｌ−１のインデックスが割り当てられ得る。利用可能な時間周波数リソースは、リソースブロックに区切られ得る。各リソースブロックは、１スロットにおいてＮ個のサブキャリア（例えば、１２個のサブキャリア）をカバーし得る。
【００３１】
[0041]ＬＴＥでは、ｅＮＢは、ｅＮＢの各セルについてプライマリ同期信号（ＰＳＳ）及びセカンダリ同期信号（ＳＳＳ）を送信し得る。プライマリ同期信号及びセカンダリ同期信号は、図２に示したノーマルサイクリックプレフィックスを有する各無線フレームのサブフレーム０及びサブフレーム５の各々で、それぞれ、シンボル期間６およびシンボル期間５において送信され得る。同期信号は、セル検出及び取得のためにＵＥによって使用され得る。ｅＮＢは、サブフレーム０のスロット１のシンボル期間０〜３において、物理ブロードキャストチャネル（ＰＢＣＨ）を送信し得る。ＰＢＣＨは、特定のシステム情報を搬送し得る。
【００３２】
[0042]ｅＮＢは、図２に示されるように、各サブフレームの第１のシンボル期間において、物理制御フォーマットインジケータチャネル（ＰＣＦＩＣＨ）を送信し得る。ＰＣＦＩＣＨは、制御チャネルのために使用される、特定の数のシンボル期間（Ｍ個）を搬送し、ここでＭは、１、２、又は３と等しいか、又はサブフレームごとに異なり得る。Ｍはまた、例えば１０個未満のリソースブロックを有する、小さなシステム帯域幅については、４に等しいものであり得る。ｅＮＢは、各サブフレームの最初のＭ個のシンボル期間において、物理ＨＡＲＱインジケータチャネル（ＰＨＩＣＨ）及び物理ダウンリンク制御チャネル（ＰＤＣＣＨ）を送信し得る（図２には示されていない）。ＰＨＩＣＨは、ハイブリッド自動再送要求（ＨＡＲＱ）をサポートするための情報を搬送し得る。ＰＤＣＣＨは、ＵＥのためのリソース割付けに関する情報、及びダウンリンクチャネルのための制御情報を搬送し得る。ｅＮＢは、各サブフレームの残りのシンボル期間において、物理ダウンリンク共有チャネル（ＰＤＳＣＨ）を送信し得る。ＰＤＳＣＨは、ダウンリンクにおいて、データ伝送のためにスケジュールされたＵＥのためのデータを搬送し得る。ＬＴＥにおける様々な信号及びチャネルは、「Evolved Universal Terrestrial Radio Access (E-UTRA); Physical Channels and Modulation」と題される３ＧＰＰ  ＴＳ  ３６．２１１に説明されており、これは、公に入手可能である。
【００３３】
[0043]ｅＮＢは、ｅＮＢによって使用されるシステム帯域幅の中心の１．０８ＭＨｚにおいて、ＰＳＳ、ＳＳＳ、及びＰＢＣＨを送信し得る。ｅＮＢは、ＰＣＦＩＣＨ及びＰＨＩＣＨを、これらのチャネルが送信される各シンボル期間において、システム帯域幅全体にわたって送信し得る。ｅＮＢは、システム帯域幅のある特定の部分において、ＵＥのグループにＰＤＣＣＨを送信し得る。ｅＮＢは、システム帯域幅の特定の部分において、特定のＵＥにＰＤＳＣＨを送信し得る。ｅＮＢは、すべてのＵＥにブロードキャスト方式で、ＰＳＳ、ＳＳＳ、ＰＢＣＨ、ＰＣＦＩＣＨ、及びＰＨＩＣＨを送信することができ、特定のＵＥにユニキャスト方式でＰＤＣＣＨを送信することができ、そしてまた、特定のＵＥにユニキャスト方式でＰＤＳＣＨを送信し得る。
【００３４】
[0044]いくつかのリソースエレメントが、各シンボル期間において利用可能であり得る。各リソースエレメントは、１つのシンボル期間において１つのサブキャリアをカバーし、実数値又は複素数値であり得る１つの変調シンボルを送信するために使用され得る。各シンボル期間において基準信号のために使用されないリソースエレメントは、リソースエレメントグループ（ＲＥＧ）にアレンジされ得る。各ＲＥＧは、１つのシンボル期間に４つのリソースエレメントを含み得る。ＰＣＦＩＣＨは、４つのＲＥＧを占有し、これらは、シンボル期間０において周波数にわたってほぼ等間隔におかれ得る。ＰＨＩＣＨは、３つのＲＥＧを占有し、これらは、１つまたは複数の設定可能なシンボル期間において、周波数にわたって拡散され得る。例えば、ＰＨＩＣＨ用の３つのＲＥＧはすべて、シンボル期間０に属するか、又はシンボル期間０、シンボル期間１、及びシンボル期間２に拡散され得る。ＰＤＣＣＨは、９個、１８個、３２個、又は６４個のＲＥＧを占有し、これらは、最初のＭ個のシンボル期間において、利用可能なＲＥＧから選択され得る。特定の組み合わせのＲＥＧのみが、ＰＤＣＣＨのために許容され得る。
【００３５】
[0045]ＵＥは、ＰＨＩＣＨ及びＰＣＦＩＣＨのために使用される特定のＲＥＧについて知り得る。ＵＥは、ＰＤＣＣＨのためのＲＥＧの異なる組み合わせをサーチし得る。サーチすべき組み合わせの数は、通常、ＰＤＣＣＨのための許容された組み合わせの数よりも少ない。ｅＮＢは、ＵＥがサーチすることになる組み合わせのいずれかで、ＵＥにＰＤＣＣＨを送信し得る。
【００３６】
[0046]図２Ａは、ＬＴＥにおけるアップリンク用の例示的なフォーマット２００Ａを示す。アップリンク用の利用可能なリソースブロック（ＲＢ）は、データ部及び制御部に区切られ得る。制御部は、システム帯域幅の２つの端に形成され、設定可能なサイズを有し得る。制御部のリソースブロックは、制御情報の伝送のために、ＵＥに割り当てられ得る。データ部は、制御部に含まれないすべてのリソースブロックを含み得る。図２Ａの設計は、連続したサブキャリアを含むデータ部をもたらし、これにより、単一のＵＥが、データ部の連続したサブキャリアのすべてを割り当てられることが可能になり得る。
【００３７】
[0047]ＵＥは、ｅＮＢに制御情報を伝送するために、制御部のリソースブロックを割り当てられ得る。ＵＥはまた、ｅＮＢにデータを伝送するために、データ部のリソースブロックを割り当てられ得る。ＵＥは、制御部の割り当てられたリソースブロックにおいて、物理アップリンク制御チャネル（ＰＵＣＣＨ）２１０ａ、２１０ｂの制御情報を伝送し得る。ＵＥは、データ部の割り当てられたリソースブロックにおいて、物理アップリンク共有チャネル（ＰＵＳＣＨ）２２０ａ、２２０ｂのデータのみ、又はデータと制御情報との両方を伝送し得る。アップリンク伝送は、図２Ａに示されるように、サブフレームの両スロットにわたり得、周波数をホッピングし得る。
【００３８】
[0048]ＵＥは、マルチプルなｅＮＢのカバレッジ内にあり得る。これらのｅＮＢのうちの１つは、ＵＥにサービスを提供するために選択され得る。サービングｅＮＢは、受信電力、経路損失、信号対雑音比（ＳＮＲ）等の様々な基準に基づいて選択され得る。
【００３９】
[0049]ＵＥは、１つまたは複数の干渉ｅＮＢからの高い干渉をＵＥが観測し得る、支配的干渉シナリオにおいて動作し得る。支配的干渉シナリオは、制限された関係に起因して起こり得る。例えば、図１では、ＵＥ１２０ｙは、フェムトｅＮＢ１１０ｙに近く、ｅＮＢ１１０ｙについて高い受信電力を有し得る。しかし、ＵＥ１２０ｙは、制限された関係により、フェムトｅＮＢ１１０ｙにアクセスすることができず、そのため、（図１に示されるように）低い受信電力でマクロｅＮＢ１１０ｃに接続するか、又は、（図１には示されていないが）やはり低い受信電力でフェムトｅＮＢ１１０ｚに接続し得る。そして、ＵＥ１２０ｙは、ダウンリンクにおいてフェムトｅＮＢ１１０ｙからの高い干渉を観測し、また、アップリンクにおいてｅＮＢ１１０ｙに高い干渉を引き起こし得る。
【００４０】
[0050]支配的干渉シナリオはまた、範囲拡張（range extension）に起因して起こり得、これは、ＵＥが、ＵＥによって検出されたすべてのｅＮＢのうち、経路損失がより低く、且つＳＮＲがより低いｅＮＢに接続するシナリオである。例えば、図１では、ＵＥ１２０ｘは、マクロｅＮＢ１１０ｂ及びピコｅＮＢ１１０ｘを検出し、ｅＮＢ１１０ｘについて、ｅＮＢ１１０ｂよりも低い受信電力を有し得る。それにもかかわらず、ｅＮＢ１１０ｘに関する経路損失がマクロｅＮＢ１１０ｂに関する経路損失よりも低い場合、ＵＥ１２０ｘが、ピコｅＮＢ１１０ｘに接続することが望ましい場合があり得る。これが、ＵＥ１２０ｘのための所与のデータレートについて、ワイヤレスネットワークに対する干渉の低下をもたらし得る。
【００４１】
[0051]特定の態様によれば、支配的干渉シナリオにおける通信は、異なるｅＮＢを異なる周波数帯域で動作させることによってサポートされ得る。周波数帯域は、通信に使用され得る周波数の範囲であり、（ｉ）中心周波数、及び帯域幅、又は（ｉｉ）より低い周波数、及びより高い周波数によって与えられ得る。周波数帯域はまた、帯域、周波数チャネル等とも呼ばれ得る。異なるｅＮＢのための周波数帯域は、強いｅＮＢがＵＥと通信することができるようにしながら、そのＵＥが支配的干渉シナリオにおいてより弱いｅＮＢと通信することができるように、選択され得る。ｅＮＢは、ＵＥで受信されたｅＮＢからの信号の受信電力に基づき（そしてｅＮＢの伝送電力レベルには基づかずに）、「弱い」ｅＮＢ、又は「強い」ｅＮＢに分類され得る。
【００４２】
[0052]図３は、基地局（ＢＳ）もしくはｅＮＢ１１０及びＵＥ１２０の一設計のブロックダイヤグラムであり、これらは、図１の基地局／ｅＮＢのうちの１つ及びＵＥのうちの１つであり得る。制限された関連付けのシナリオの場合、ｅＮＢ１１０は、図１のマクロｅＮＢ１１０ｃであり、ＵＥ１２０は、ＵＥ１２０ｙであり得る。ｅＮＢ１１０はまた、何らかの他のタイプの基地局であり得る。ｅＮＢ１１０は、Ｔ個のアンテナ３３４ａ〜アンテナ３３４ｔを備え、ＵＥ１２０は、Ｒ個のアンテナ３５２ａ〜アンテナ３５２ｒを備え得、ここでは一般に、Ｔ≧１、Ｒ≧１である。
【００４３】
[0053]ｅＮＢ１１０では、送信プロセッサ３２０は、データソース３１２からはデータを、コントローラ／プロセッサ３４０からは制御情報を受信し得る。制御情報は、ＰＢＣＨ、ＰＣＦＩＣＨ、ＰＨＩＣＨ、ＰＤＣＣＨ等に関するものであり得る。データは、ＰＤＳＣＨ等に関するものであり得る。送信プロセッサ３２０は、データ及び制御情報を処理（例えば、符号化及びシンボルマップ）して、データシンボル及び制御シンボルをそれぞれ取得し得る。送信プロセッサ３２０はまた、例えば、ＰＳＳ、ＳＳＳ、及びセル固有基準信号のための基準シンボルを生成し得る。送信（ＴＸ）多入力多出力（ＭＩＭＯ）プロセッサ３３０は、適用可能であれば、データシンボル、制御シンボル、及び／又は基準シンボルに対して空間処理（例えば、プレコーディング）を実施し、Ｔ個の変調器（ＭＯＤ）３３２ａ〜３３２ｔにＴ個の出力シンボルストリームを提供し得る。各変調器３３２は、それぞれの出力シンボルストリーム（例えば、ＯＦＤＭなどについて）を処理して、出力サンプルストリームを取得し得る。各変調器３３２はさらに、出力サンプルストリームを処理（例えば、アナログに変換、増幅、フィルタリング、及びアップコンバート）して、ダウンリンク信号を取得し得る。変調器３３２ａ〜３３２ｔまでのＴ個のダウンリンク信号は、それぞれ、Ｔ個のアンテナ３３４ａ〜３３４ｔを介して送信され得る。
【００４４】
[0054]ＵＥ１２０では、アンテナ３５２ａ〜アンテナ３５２ｒが、ｅＮＢ１１０からダウンリンク信号を受信し、それぞれ、復調器（ＤＥＭＯＤ）３５４ａ〜３５４ｒに、受信された信号を提供し得る。各復調器３５４は、それぞれの受信された信号を調整（例えば、フィルタリング、増幅、ダウンコンバート、及びデジタル化）して、入力サンプルを取得し得る。各復調器３５４はさらに、入力サンプル（例えば、ＯＦＤＭなどについて）を処理して、受信シンボルを取得し得る。ＭＩＭＯ検出器３５６は、Ｒ個の復調器３５４ａ〜復調器３５４ｒのすべてから、受信されたシンボルを取得し、適用可能であれば、受信されたシンボルに対してＭＩＭＯ検出を実施し、検出されたシンボルを提供し得る。受信プロセッサ３５８は、検出されたシンボルを処理（例えば、復調、デインターリーブ、及び復号）し、データシンク３６０に、ＵＥ１２０用の復号されたデータを提供し、コントローラ／プロセッサ３８０に、デコードされた制御情報を提供し得る。
【００４５】
[0055]アップリンクでは、ＵＥ１２０において、送信プロセッサ３６４が、データソース３６２からの（例えば、ＰＵＳＣＨ用の）データと、コントローラ／プロセッサ３８０からの（例えば、ＰＵＣＣＨ用の）制御情報とを受信し、処理し得る。送信プロセッサ３６４はまた、基準信号用の基準シンボルを生成し得る。送信プロセッサ３６４からのシンボルは、適用可能であれば、ＴＸ  ＭＩＭＯプロセッサ３６６によってプレコードされ、（例えば、ＳＣ−ＦＤＭ等のために）変調器３５４ａ〜３５４ｒによってさらに処理され、ｅＮＢ１１０に送信され得る。ｅＮＢ１１０では、ＵＥ１２０からのアップリンク信号が、アンテナ３３４によって受信され、復調器３３２によって処理され、適用可能であれば、ＭＩＭＯ検出器３３６によって検出され、受信プロセッサ３３８によってさらに処理されて、ＵＥ１２０によって送信された復号されたデータ及び制御情報を取得し得る。受信プロセッサ３３８は、データシンク３３９に復号されたデータを、コントローラ／プロセッサ３４０に復号された制御情報を提供し得る。
【００４６】
[0056]コントローラ／プロセッサ３４０および３８０は、それぞれ、ｅＮＢ１１０及びＵＥ１２０での動作を指示し得る。ｅＮＢ１１０における、コントローラ／プロセッサ３４０、受信プロセッサ３３８、並びに／又は他のプロセッサ及びモジュールは、図８の動作８００、及び／又は本明細書に説明される技法のための他の処理を実施するか、又は指示し得る。メモリ３４２及び３８２は、それぞれ、ｅＮＢ１１０及びＵＥ１２０のためのデータ及びプログラムコードを格納し得る。スケジューラ３４４は、ダウンリンク及び／又はアップリンクにおけるデータ伝送のためにＵＥをスケジュールし得る。ｅＮＢ１１０は、ＵＥ１２０に静的リソースパーティショニング情報（ＳＰＲＩ）３９０を送信し得る。ＵＥ１２０は、ｅＮＢ１１０にサウンディング基準信号（ＳＲＳ）３９２を送信し得る。
【００４７】
拡張された物理ダウンリンク制御チャネル（ＥＰＤＣＣＨ）のためのリソース割付けの例
[0057]既存のワイヤレス通信システム（例えば、いわゆる「レガシー」ＬＴＥ  Ｒｅｌ−８／９／１０システム）において、物理ダウンリンク制御チャネル（ＰＤＣＣＨ）は、ロングタームエボリューション（ＬＴＥ）サブフレームの最初のいくつかのシンボルに配置されている。ＰＤＣＣＨは、一般に、サブフレームの帯域幅全体にわたって分散され、物理ダウンリンク共有チャネル（ＰＤＳＣＨ）により時分割多重（ＴＤＭ）される。換言すれば、サブフレームは、制御領域及びデータ領域に効果的に分割され、ＰＤＣＣＨは、制御領域の最初のいくつかのシンボルを占有する。
【００４８】
[0058]拡張されたＰＤＣＣＨ（ＥＰＤＣＣＨ）は、例えば、レガシーＰＤＣＣＨ（例えば、「レガシー」は、ＬＴＥ  Ｒｅｌ−１０又はそれ以前を指す）を補う、又は置き換え得る、「非レガシー」システム（例えば、ＬＴＥ  Ｒｅｌ−１１／１２又はそれ以降）において定義され得る。レガシーＰＤＣＣＨが、それが送信されるサブフレームの、制御領域を占有するレガシーＰＤＣＣＨとは異なり、ＥＰＤＣＣＨは、一般に、レガシーＰＤＳＣＨと同様、サブフレームのデータ領域を占有する。換言すれば、従来の／レガシーＰＤＳＣＨ領域を占有するＥＰＤＣＣＨ領域が定義され得る。ＥＰＤＣＣＨ領域は、マルチプルな連続した又は不連続のリソースブロック（ＲＢ）からなり、これらのＲＢ内にＯＦＤＭシンボルのサブセットを占有し得る。
【００４９】
[0059]ＥＰＤＣＣＨは、レガシーＰＤＣＣＨに優るいくつかの利点を有し得る。例えば、ＥＰＤＣＣＨは、制御チャネル容量を増加させ（例えば、レガシーＰＤＣＣＨの容量に追加し得る）、周波数領域のセル間干渉除去（ＩＣＩＣ）をサポートし、制御チャネルリソースの改善された空間再利用を達成し、ビームフォーミング及び／又はダイバーシティをサポートし、ニューキャリアタイプ（ＮＣＴ）、及びマルチキャストブロードキャスト単一周波数ネットワーク（ＭＢＳＦＮ）のサブフレームにおいて動作し、且つ／又はレガシーＵＥと同じキャリアにおいて共存するのに役立ち得る。
【００５０】
[0060]ＵＥ固有復調基準信号（ＤＭ−ＲＳ）は、ＰＤＳＣＨ／ＥＰＤＣＣＨのコヒーレント復調のためのダウンリンクチャネル推定に使用され得る。ＰＤＳＣＨ／ＥＰＤＣＣＨに良好なチャネル推定を提供するために、ＰＤＳＣＨ／ＥＰＤＣＣＨを搬送する各ＲＢは、ＲＢ内に良好なチャネル推定のための十分なＤＭ−ＲＳを含み得る。
【００５１】
[0061]図４は、ノーマルサイクリックプレフィックス（ＣＰ）の場合について、Ｒｅｌ−１０に定義されるような、例示的なＤＭ−ＲＳパターン４００ａ〜ｃを示す。図４に示されるように、リソースエレメント（ＲＥ）４１０及び４２０が、ＤＭ−ＲＳ伝送のために割り付けられる。図示された例では、ＲＥ４１０は、符号分割多重（ＣＤＭ）グループ１用に使用され、ＲＥ４２０は、ＣＤＭグループ２用に使用される。
【００５２】
[0062]ＤＭ−ＲＳパターン４００ａは、ノーマルサブフレームについてのＤＭ−ＲＳパターンを示す。本明細書で使用される場合、ノーマルサブフレームという用語は、相対的な用語であり、ＬＴＥが時分割複信（ＴＤＤ）で動作されているときに、通常、特定のサブフレーム（例えば、サブフレーム構成に応じて、無線フレームにおける２番目又は７番目のサブフレーム）に発生する、特殊なダウンリンクタイムスロットである、ダウンリンクパイロットタイムスロット（ＤｗＰＴＳ）を有さないサブフレームを指す。ＤｗＰＴＳサブフレームの長さは、異なるＤＬ／ＵＬ切替え期間が設定されることを可能にするために、可変であり得る。
【００５３】
[0063]ＤＭ−ＲＳパターン４００ｂは、１１又は１２のシンボルを有するＤｗＰＴＳサブフレームについての例示的なＤ−ＭＲＳパターンを示す。この例に示されるように、ＤＭ−ＲＳは、サブフレームの第１のスロット及び第２のスロットのそれぞれにおける、第３のシンボル及び第４のシンボルを占有する。ＤＭＲＳパターン４００ｃは、９、１０のシンボルを有するＤｗＰＴＳサブフレームについてのＤＭ−ＲＳパターンを示す。この例に示されるように、ＤＭ−ＲＳは、サブフレームの第１のスロットにおける、第３、第４、第６、及び第７のシンボルを占有する。
【００５４】
[0064]レガシーシステム（例えば、Ｒｅｌ−８／９／１０）では、プライマリ同期信号（ＰＳＳ）、及びセカンダリ同期信号（ＳＳＳ）は、一般に、（例えば、図２に示されるように）サブフレーム０及び５のみの、中心の６つのＲＢにおいて伝送される。プライマリブロードキャストチャネル（ＰＢＣＨ）はまた、一般に、中心の６つのＲＢにおいて、ただし、サブフレーム０においてのみ伝送される。
【００５５】
[0065]図５は、本開示の特定の態様による、ＬＴＥフレームにおける、ＰＳＳ、ＳＳＳ、及びＰＢＣＨについての例示的なリソース構成５００を示す。図５に示されるように、１０ｍｓの長さのＬＴＥフレームは、通常、それぞれ１ｍｓの長さの１０個のサブフレームに分割される。各サブフレームは、２つのスロット、スロット０及びスロット１に、さらに分割され得る。図示されるように、ＰＳＳ及びＳＳＳは、通常、サブフレーム０及び５において、５ｍｓ毎に伝送される。ＰＳＳ及びＳＳＳは、サブフレーム０及び５の第１のスロットにおける最後の２つのシンボルにおいて連続して伝送される。通常、ＳＳＳは、ＰＳＳの前に伝送される。１０ｍｓの境界を区別するために、２つのＳＳＳ信号、ＳＳＳ１（サブフレーム０）及びＳＳＳ２（サブフレーム５）は、異なる構成を有し得る。しかしながら、ＰＳＳの構成は、固定され得る。ＰＢＣＨは、サブフレーム０の第２のスロットにおける最初の４つのシンボルにおいて、１０ｍｓ毎に伝送される。
【００５６】
[0066]上に定義されたＰＳＳ／ＳＳＳ／ＰＢＣＨの構成は、周波数分割複信（ＦＤＤ）伝送のために使用される。ＴＤＤ伝送に関して、ＳＳＳは、サブフレーム０及び５の最後のシンボルにおいて伝送され、ＰＳＳは、サブフレーム１及び６の第３のシンボルにおいて伝送され得る。
【００５７】
ＬＴＥにおけるＥＩＭＴＡのための例示的なＣＳＩ測定及び報告
[0067]特定のシステム（例えば、ＬＴＥ）では、周波数分割複信（ＦＤＤ）および時分割複信（ＴＤＤ）の両方のフレーム構造がサポートされる。ＴＤＤは、対ではないスペクトルについて指定された共通のＬＴＥ標準のモードであり、ここでは、伝送が、同じ周波数帯域で、ダウンリンク方向及びアップリンク方向の両方に伝わる。図６に示されるように、ＴＤＤに関しては、２つの切り替え周期（５ｍｓ及び１０ｍｓ）がサポートされ、７個の可能なダウンリンク（ＤＬ）及びアップリンク（ＵＬ）のサブフレーム構成がサポートされる。図６に示される表６００に示されるように、ＵＬ／ＤＬサブフレーム構成０、１、２、及び６は、５ｍｓの切り替え周期を有し、１つのフレームに２つの特殊サブフレーム（例えば、サブフレーム１及びサブフレーム６）を有する。図６に示されるように、ＵＬ／ＤＬサブフレーム構成３、４、及び５は、１０ｍｓの切り替え周期を有し、１つのフレームに１つの特殊サブフレーム（例えば、サブフレーム２）を有する。
【００５８】
[0068]図７は、本開示の特定の態様による、２つの特殊サブフレーム７０６及び７０８を有し、５ｍｓの切り替え周期を有する、例示的なＴＤＤフレーム構造７００を示す。図７に示されるように、無線フレーム７００は、１０ｍｓであることができ、したがって、２つの５ｍｓのハーフフレーム７０２及び７０４に分割され得る。フレーム７００は、１０個の１ｍｓサブフレーム（例えば、サブフレーム０〜９）を含むことができ、したがって、各ハーフフレームは、５つのサブフレームを含む。各サブフレームは、２つのスロットに分割され得る。図７に示されるように、サブフレーム１及びサブフレーム６は、特殊サブフレーム７０６及び７０８であり得る。特殊サブフレーム７０６７０８のそれぞれは、ダウンリンクパイロットタイムスロット（ＤｗＰＴＳ）、ガード期間（ＧＰ）、及びアップリンクパイロットタイムスロット（ＵｐＰＴＳ）を含み得る。
【００５９】
[0069]特定のシステム（例えば、ＬＴＥ  Ｒｅｌ−１２）では、サブフレームは、固定サブフレーム及び動的サブフレームとして分類され得る。動的サブフレームは、その方向が、固定された方向（例えば、ＤＬサブフレーム又はＵＬサブフレームのいずれかとして）を有するのではなく、動的に変更される（例えば、ＵＬ及びＤＬサブフレームとして管理される）ことが可能である。このようなシステムでは、実際のトラフィックニーズに基づき、ＴＤＤのＤＬ／ＵＬサブフレーム構成（例えば、図６に示されるＴＤＤのＤＬ／ＵＬサブフレーム構成）を動的に適合させることが可能である。このことは、トラフィック適応のための発展型干渉管理（ｅＩＭＴＡ）と呼ばれ得る。ｅＩＭＴＡでは、サブフレームは、固定サブフレーム及び動的サブフレームとして分類され得る。動的サブフレームは、ＵＬ又はＤＬサブフレームとして動的に管理されることができる。ＵＬサブフレームのケースで、ＵＥがまたＣＳＩ測定のためにサブフレームを監視するように構成されている場合、ＵＥが測定すべきいかなるＣＲＳ又はＣＳＩ−ＲＳも存在しないことがあり、ＣＳＩ測定及び報告の問題を引き起こし得る。
【００６０】
[0070]ｅＩＭＴＡの一例として、短い持続時間中に、ダウンリンクにおける大量のデータバーストが望まれる場合、構成は、よりダウンリンクに重点を置いた（more downlink heavy）サブフレーム構成に変更され得る。例えば、図６を参照すると、サブフレーム構成は、６つのＤＬサブフレーム及び４つのＵＬサブフレームを有する構成＃１（ＤＳＵＵＤＤＳＵＵＤ）から、９つのダウンリンクサブフレーム及び１つのアップリンクサブフレームを有するサブフレーム構成＃５（ＤＳＵＤＤＤＤＤＤＤ）に変更され得る。
【００６１】
[0071]ＴＤＤ構成の適応は、６４０ｍｓよりも遅くはならない。極端な場合には、適応は、１０ｍｓほどの速さであり得る。しかしながら、ＴＤＤ構成の適応は、２つ以上のセルが異なるダウンリンク及びアップリンクサブフレームを有するときに、ダウンリンク及びアップリンクの両方に著しい干渉を引き起こし得る。適応はまた、ＤＬ及びＵＬのハイブリッド自動再送要求（ＨＡＲＱ）タイミング管理の複雑化を引き起こし得る。
【００６２】
[0072]７つのＤＬ／ＵＬサブフレーム構成の各々は（再度図６を参照する）、それ自体のＤＬ／ＵＬのＨＡＲＱタイミングを有する。ＤＬ／ＵＬのＨＡＲＱタイミングは、ＨＡＲＱ動作効率の点で、各構成について最適化され得る。例えば、物理ダウンリンク共有チャネル（ＰＤＳＣＨ）から、対応する肯定応答／否定応答（ＡＣＫ／ＮＡＫ）へのタイミングは、異なるＴＤＤのＤＬ／ＵＬサブフレーム構成によって異なり得る。７つのＴＤＤのＤＬ／ＵＬサブフレーム構成間で、あるいは、よりフレキシブルな適応が望まれる場合には追加の構成間で、動的に切り替えることは、従来のＤＬ／ＵＬのＨＡＲＱタイミングが保たれる場合、ＡＣＫ／ＮＡＫ伝送機会が一部のＤＬ又はＵＬ伝送については見逃され得ることを暗示する。
【００６３】
[0073]上述のように、ｅＩＭＴＡでは、サブフレームは、一般に、「固定」サブフレーム及び「フレキシブル」（動的）サブフレームとして大別され得る。固定サブフレームは、動的又は半静的な形で変化することは予想されず、セルが、静的な形で、サブフレーム構成を（例えば、図６に示される７つのＴＤＤのＵＬ／ＤＬサブフレーム構成のうちの１つから、７つのＴＤＤのＵＬ／ＤＬサブフレーム構成のうちの別のものに）変更することを決定したときにのみ、変化することが予想される。フレキシブルサブフレームの方向は、例えば、トラフィックニーズに基づくスケジューラの決定により、動的に変化し得る。別の例として、サブフレームの方向は、セル間干渉及び／又はセル内干渉の考慮に起因して変化し得る。
【００６４】
[0074]異なるセルは、固定サブフレームにおいて、ＤＬからＵＬへの干渉又はＵＬからＤＬへの干渉が一般に存在しないように、共通のセットの固定サブフレームを共有し得る。他方で、フレキシブルサブフレームは、干渉（例えば、ＤＬからＵＬへの干渉、又はＵＬからＤＬへの干渉）を受け得る。
【００６５】
[0075]フレキシブルサブフレームではなく固定サブフレームの指定は、いくつかのシグナリングを介してユーザ機器（ＵＥ）に示され、又はこの指定は、予め定義（例えば、ハードコード化）され得る。例えば、図６を参照すると、システム情報ブロック１（ＳＩＢ１）は、ＴＤＤのＵＬ／ＤＬサブフレーム構成０（ＤＳＵＵＵＤＳＵＵＵ）をブロードキャストすることができる。この例では、サブフレーム０／１／２／５／６／７は、固定サブフレームであり、サブフレーム３／４／８／９は、フレキシブルサブフレームであり得る。いくつかの場合では、ＵＥ（例えば、Ｒｅｌ−１２のＵＥ）は、例えば、専用シグナリング、又はブロードキャストシグナリングを介して、固定サブフレームのセットの明示的な指示を受信し得る。
【００６６】
[0076]固定サブフレームでは、セルがレガシーキャリアタイプ（ＬＣＴ）又は後方互換性キャリアタイプである場合、ＣＲＳは、通常、最大４つまでのＣＲＳのアンテナポートにおいてすべてのサブフレームで伝送される。セルがニューキャリアタイプ（ＮＣＴ）である場合、ＣＲＳは、すべてのサブフレームにおいては伝送されず、ＣＲＳポートの数は、１に固定され得る。従来は、ＬＴＥアドバンスト（ＬＴＥ−Ａ）の標準化が、キャリアが後方互換性であることを要求し、このことが、新たなリリースへの円滑な移行を可能にした。しかしながら、このことは、キャリアが帯域幅をまたぐあらゆるサブフレームにおいて、共通基準信号（ＣＲＳ、セル固有基準信号とも呼ばれる）を継続的に伝送することを必要とした。限られた制御シグナリングしか伝送されていないときでさえセルがオンのままであり、これにより、増幅器がエネルギーを消費し続けるので、ほとんどのセルサイトのエネルギー消費は、電力増幅器によって引き起こされる。ＣＲＳは、ＬＴＥのリリース８において導入された、ＬＴＥの最も基本的なダウンリンク基準信号である。ＣＲＳは、あらゆるダウンリンクサブフレームにおいて、および周波数領域で、あらゆるリソースブロック（ＲＢ）において伝送される。セルのＣＲＳは、１つ、２つ、又は４つの対応するアンテナポートに関するものであることができる。ＣＲＳは、コヒーレント復調についてチャネルを推定するために、遠隔端末によって使用され得る。ニューキャリアタイプ（ＮＣＴ）は、５つのサブフレームのうち４つのサブフレームにおけるＣＲＳの伝送を排除することにより、セルを一時的にオフに切り替えることを可能にする。これは、電力増幅器によって消費される電力を低減させる。それはまた、ＣＲＳが帯域幅をまたぐあらゆるサブフレームにおいて継続的に伝送されないので、ＣＲＳからの干渉およびオーバーヘッドを減少させる。加えて、ＮＣＴは、ダウンリンク制御チャネルがＵＥ固有復調用基準シンボル（ＤＭ−ＲＳ）を使用して動作させられることを可能にする。ＮＣＴは、別のＬＴＥ／ＬＴＥ−Ａキャリアと共に、ある種の拡張キャリアとして、又は代替的にスタンドアロン非後方互換性キャリアとして動作させられ得る。
【００６７】
[0077]ＵＬサブフレームについて、ＵＥは、チャネル状態情報（ＣＳＩ）測定についてサブフレームを監視するように構成されることができる。しかしながら、ＵＥが測定すべき、いかなるセル固有基準信号（ＣＲＳ）又はＣＳＩ−ＲＳも存在しない場合がある。この場合、ＣＳＩ測定及び報告が影響を受け得る。
【００６８】
[0078]ＬＣＴセルは、ＣＲＳ無しでフレキシブルサブフレームを伝送し得る（即ち、ＣＲＳレス動作（CRS-less operation））。これは、ＣＲＳを送信するために使用されたであろう送信リソースがデータを搬送するために利用可能であるという点で、より効率的なＤＬ動作を可能にする。ＬＣＴセルにおけるこれらのフレキシブルサブフレームは、レガシー制御領域を有しないことがある。ＬＣＴセルにおけるフレキシブルサブフレームは、拡張された物理ダウンリンク制御チャネル（ＥＰＤＣＣＨ）及びＰＤＳＣＨに基づき、復調基準信号（ＤＭ−ＲＳ）のみをサポートし得る。ＰＤＳＣＨ及びＥＰＤＣＣＨは、シンボル０から開始することが可能である。
【００６９】
[0079]チャネル状態情報基準信号（ＣＳＩ−ＲＳ）は、これらのフレキシブルサブフレームに対応するＣＳＩフィードバックを可能にするために、ＬＣＴセルのフレキシブルサブフレームにおいて伝送され得る。いくつかの場合には、ＣＲＳを有するが、ＣＲＳオーバーヘッドの減少を伴う、ＬＣＴセルの、少なくともいくつかのフレキシブルサブフレームを動作させることが可能であり得る。例えば、フレキシブルサブフレームは、ＣＲＳがサブフレームの最初のシンボルに存在し得るように、マルチキャストブロードキャスト単一周波数ネットワーク（ＭＢＳＦＮ）サブフレームとして扱われることが可能である。
【００７０】
[0080]ＵＥ（例えば、図１及び図３に示されるＵＥ１２０と同様のもの）は、ＣＳＩフィードバックのためのチャネル測定及び干渉測定のための特定のサブフレームと共に構成され得る。通常、チャネル測定のために、ＵＥは、１または複数のセットの非ゼロ電力（ＮＺＰ）ＣＳＩ−ＲＳ構成において構成され得る。干渉測定のために、ＵＥは、１または複数のセットの干渉測定リソース（ＩＭＲ）構成において構成され得る。ＩＭＲ構成は、ゼロ電力（ＺＰ）構成に従うことも従わないこともあり得る。
【００７１】
[0081]ＵＥは、１つまたは複数のＣＳＩ−ＲＳプロセスで構成され得る。各ＣＳＩ−ＲＳプロセスは、ＮＺＰ  ＣＳＩ−ＲＳ構成及びＩＭＲ構成を備え得る。この構成は、半静的である。フレキシブルサブフレームにおける干渉特性を測定するために、１つまたは複数のＩＭＲ構成が、フレキシブルサブフレームのセットに属するいくつかのサブフレームを有し得る（例えば、ＵＥは、フレキシブルサブフレームのうちの少なくともいくつかにおける干渉を測定するように構成され得る）。
【００７２】
[0082]いくつかのＮＺＰ  ＣＳＩ−ＲＳ構成は、同様に、フレキシブルサブフレームのセットに属する、いくつかのサブフレームを有し得る（例えば、ＵＥは、フレキシブルサブフレームのうちの少なくともいくつかに対してチャネル測定を実施するように構成され得る）。しかしながら、干渉特性とは異なり、チャネル状態は、特に移動度の低いＵＥに関しては、サブフレームにわたってあまり変動しない。状態がサブフレームにわたって変動する可能性が低いので、２つのサブフレームが大きなタイムギャップを有さない場合、フレキシブルサブフレームにおけるチャネル状態を表すために、固定サブフレームからチャネル測定を使用することが可能である。
【００７３】
[0083]上述のように、フレキシブルサブフレームは、ダウンリンク方向又はアップリンク方向のものであり得る。ＵＥが干渉測定又はチャネル測定のためにアップリンクサブフレームを構成する場合、測定は無用であり、サブフレームに対して何らかのフィルタリングが実施される場合、それは他のサブフレームにおける「良好な」測定にも影響を与えることになる。ＵＥがＣＳＩ測定のためにサブフレームを監視するように構成される場合、ＵＥが測定すべきＣＲＳもＣＳＩ−ＲＳも存在せず（例えば、サブフレームがダウンリンク伝送のために利用可能でないことに起因して、又はキャリアがＮＣＴであることなどに起因して）、これにより、ＣＳＩ測定及び報告の問題が引き起こされ得る。
【００７４】
[0084]本開示の諸態様は、サブフレームがアップリンク方向であるか又はダウンリンク方向であるかということ、及びサブフレームが固定サブフレームであるか又はフレキシブルサブフレームであるかということに基づき、サブフレームを処理する技法を提供する。特定の態様は、ＬＴＥにおけるｅＩＭＴＡのためのＣＳＩ測定及び報告の技法を提供する。特定の態様によれば、ＵＥは、固定サブフレーム又はフレキシブルサブフレームとして、サブフレームを識別し得る。ＵＥはまた、例えば、受信されたシグナリング又はブラインド検出を介して、サブフレームが、アップリンク伝送専用であるか又はダウンリンク伝送専用であるかを決定し得る。サブフレームが、固定であるか又はフレキシブルであるか、及びアップリンク用であるか又はダウンリンク用であるかという決定に基づき、ＵＥは、それに応じてサブフレームを処理し得る。
【００７５】
[0085]特定の態様によれば、チャネル及び干渉測定は、伝送方向に依存し得る。諸態様では、ＵＥ（例えば、図１及び図３に示されるＵＥ１２０と同様のもの）は、フレキシブルサブフレームの伝送方向（例えば、アップリンク用であるか又はダウンリンク用であるか）を決定し得る。フレキシブルサブフレームは、ＵＥが干渉及び／又はチャネルを測定するように構成され得る。ＵＥは、伝送方向の決定に基づき、測定又はＣＳＩ報告を実施し得る。諸態様では、フレキシブルサブフレームは、ＵＥがいずれかの測定を実施するように構成されないことがある。この場合、ＵＥは、ＣＳＩ測定及び／又はフィードバックの目的で、例えば、ＵＥがサブフレームの伝送方向をどのように決定するか（例えば、シグナリングによって、又はブラインド検出によって）に応じて、伝送方向を依然として決定し得る。
【００７６】
[0086]特定の態様によれば、ＵＥは、様々な方法でフレキシブルサブフレームの伝送方向を決定し得る。諸態様では、ＵＥは、フレキシブルサブフレームがダウンリンク伝送専用か又はアップリンク伝送専用かに関する、明示的なインジケーションを受信し得る。例えば、ＵＥは、（例えばダウンリンク制御情報（ＤＣＩ）において）ブロードキャストシグナリング又は専用シグナリングを介して指示され得る。明示的なシグナリングは、現在のフレキシブルサブフレームよりも前の（earlier）サブフレームにおいて受信され得る。例えば、明示的なシグナリングは、受信のアンビギュイティ（ambiguity）を回避し、ＵＥ受信機のために十分な処理時間を可能にするために、より早い（earlier）固定ダウンリンクサブフレームにおいて受信され得る。明示的なブロードキャストシグナリングの例には、より早いサブフレームにおいて受信される物理制御フォーマットインジケーションチャネル（ＰＣＦＩＣＨ）、又はブロードキャストタイプのＤＣＩが含まれる。
【００７７】
[0087]特定の態様によれば、ＵＥは、フレキシブルサブフレームの伝送方向を決定するために、ブラインド検出（即ち、シグナリングを用いない）を実施し得る。例えば、ＵＥは、リソースブロック（ＲＢ）におけるダウンリンク信号／チャネルの存在をブラインド検出し得る。ＵＥは、例えば、ＣＲＳが存在するかどうか、特に、ＣＲＳが、サブフレームの最初のシンボル、又は最初の２つのシンボルに存在するかどうかを検知し得る。第１のｅＮＢアンテナ及び第２のｅＮＢアンテナに関するＣＲＳは、サブフレームの第１のシンボルにおいて受信され、一方、第３のｅＮＢアンテナ及び第４のｅＮＢアンテナに関するＣＲＳは、サブフレームの第２のシンボルにおいて受信され得る。
【００７８】
[0088]別の例として、ＵＥは、ＰＣＦＩＣＨが現在のサブフレームに存在するかどうかを検知し得る。別の例として、ＵＥは、ＤＭ−ＲＳがいずれかのＲＢに存在するかどうかを検知し得る。諸態様では、ＵＥは、仮想セル識別情報（ＶＣＩＤ）がＤＭ−ＲＳのために使用されるか否かのインジケーションを受信し、ＶＣＩＤが使用される場合、ＵＥはまた、可能性のあるＶＣＩＤの対応するセットのインジケーションを受信し得る。別の例として、ＵＥは、ＥＰＤＣＣＨがいずれかのＲＢに存在するかどうかを検知し得る。諸態様では、ＵＥは、ＥＰＤＣＣＨ用のリソースのセット及び対応するパラメータ（例えば、ＥＰＤＣＣＨについてＶＣＩＤ）を仮定するか、又は指示され得る。これにより、ＵＥは、ＵＥが実施するブラインド復号の数を制限できるようになる。
【００７９】
[0089]特定の態様によれば、ＵＥは、ＲＢにおけるアップリンク信号／チャネルの存在をブラインド検出し得る。例えば、ＵＥは、サウンディング基準信号（ＳＲＳ）、物理アップリンク制御チャネル（ＰＵＣＣＨ）、及び／又はＰＵＳＣＨの存在を検知し得る。
【００８０】
[0090]諸態様では、ＵＥは、ＬＴＥの場合のように、アップリンク構造及びダウンリンク構造が共通の信号又は信号フォーマットを共有していない限り、既に定義された信号又は既に定義された信号の組み合わせの存在のブラインド検出を実施し得る。しかしながら、フレキシブルサブフレームがアップリンク方向のためのものか又はダウンリンク方向のためのものかの決定が、セル固有の基準で行われるべきであるので、ブラインド検出がそれに対して実施される信号は、特定のセルに属するものとして識別可能であることが望ましい。また、新たな信号又は新たな信号のセットが、受信機によるフレキシブルサブフレーム方向の信頼性の高い決定を支援する目的で特に定義されることも可能であり得る。別の例として、既存の信号のフォーマットは、フレキシブルサブフレーム方向の、より信頼性の高い決定を支援するために修正され得る。受信機は、ブラインド検出をそれに対して実施すべき、既存の信号、修正された信号、又は新たな信号の組み合わせを使用し得る。
【００８１】
[0091]特定の態様によれば、フレキシブルサブフレームがＵＬサブフレームであると決定すると、ＵＥは、干渉及び／又はチャネル測定について該サブフレームをスキップし得る。測定のためのＣＳＩ−ＲＳ又はＩＭＲが存在しないことがあり得、及び／又は測定することが望ましくないことがあり得る。諸態様では、ＵＥがＣＳＩ測定フィルタリングを実施する場合、ＵＥは、フィルタリング操作からフレキシブルサブフレームをさらに省略し得る。
【００８２】
[0092]代替的に、フレキシブルサブフレームがＵＬサブフレームであると決定すると、ＣＳＩ−ＲＳ又はＩＭＲが依然として利用可能であり、アップリンク干渉が回避され得るか、又は測定することが望ましい場合（例えば、ｅＮＢによって指示された場合）、ＵＥは、システム帯域幅の一部を使用して、又は全システム帯域幅を使用して、干渉及び／又はチャネル測定を実施し得る。諸態様では、ＣＳＩ−ＲＳ又はＩＭＲは、アップリンク伝送をパンクチャし得る。諸態様では、ＵＥがＣＳＩ測定フィルタリングを実施する場合、測定は、フィルタリング操作に含まれ得る。フレキシブルサブフレームがダウンリンクサブフレームである場合、又はフレキシブルサブフレームがアップリンクサブフレームである場合、別個のフィルタリングが実施され得る。
【００８３】
[0093]特定の態様によれば、ＣＳＩ報告は、周期的又は非周期的であり得る。ＵＥがサブフレームをアップリンクフレキシブルサブフレームであると決定した場合、ＵＥは、そのフレキシブルサブフレームに関するＣＳＩ報告を省略し得る。この手法は、アップリンクオーバーヘッドのいくらかの節約をもたらし得る。代替的に、ＵＥが、フレキシブルサブフレームを、アップリンクのためのものであると決定した場合、ＵＥは、フレキシブルサブフレームについてＣＳＩを依然として報告し得るが、所定の値（例えば、範囲外（ＯＯＲ）（out-of-range）、又は０）を報告し得る。アップリンク電力制御については、特殊な電力制御が、これらの報告のために実施され得る。例えば、ＵＥは、これらのビットのために、低減された電力制御を使用するか、又は電力制御を使用しない。ＣＳＩフィードバックをＰＵＳＣＨにピギーバックさせるためのリソースの量を決定するために、例えば、ＵＥは、この報告についてリソースを割り付けないか、又は低減されたリソースを割り付け得る。別の代替形態では、ＵＥがフレキシブルサブフレームをアップリンク通信のためのものであると決定した場合、ＵＥは、通常通り、ＣＳＩを報告し得る。報告は、フレキシブルサブフレームの前の有効なダウンリンクサブフレーム（１つ又は複数）からの測定に基づき得る。結果として、報告されたＣＳＩ値は、古いもの（outdated）となり得る。この手法は、ｅＮＢ及びＵＥアライメントに有用であり得る。
【００８４】
[0094]諸態様では、ｅＮＢは、報告がダウンリンクサブフレームに基づくか又はアップリンクサブフレームに基づくかを決定することができる。結果として、ｅＮＢは、アップリンクサブフレームに基づいて測定される、ＵＥによる報告を破棄し得る。
【００８５】
[0095]フレキシブルサブフレームにおける、ＣＲＳの潜在的な欠如（又は全ＣＲＳの欠如）の伝送のシナリオを回避することが望ましく、ＵＥは、フレキシブルサブフレームに関する、ＣＲＳベースのＣＳＩ測定及び報告を実施するように構成され得る。特定の態様によれば、ＵＥは、フレキシブルサブフレームがアップリンクサブフレームであるときに、サブフレームの最後のシンボルがダウンリンクチャネル測定のために使用され得るように、サブフレームの最後のシンボルにおいて設定された「新たな」ＣＳＩ−ＲＳ及びＩＭＲを指定し得る。サブフレームにおけるアップリンク伝送（例えば、ＰＵＣＣＨ及び／又はＰＵＳＣＨ）は、短縮フォーマットを使用し得る。例えば、アップリンク伝送は、サブフレームの最後のシンボルを使用しないことがある（そのため、最後のシンボルは、ダウンリンクチャネル測定のために使用されることができる）。さらに、ＳＲＳは、このサブフレームから省略されることが可能である。
【００８６】
[0096]特定の態様によれば、ＵＥは、サブフレームタイプに依存した測定を実施し得る。諸態様では、ＵＥは、すべてのフレキシブルサブフレームをダウンリンク測定について無効なサブフレームとして宣言し得る。したがって、ＵＥは、固定サブフレームのみにおいて測定を実施し得る。代替的に、ＵＥによるＣＳＩ測定のためのＲＳは、サブフレームに依存し得る。例えば、ＵＥは、固定サブフレームにおける測定のためにＣＲＳを、フレキシブルサブフレームにおける測定のためにＣＳＩ−ＲＳを使用し得る。別の代替形態では、ＵＥは、サブフレームにおける特定のＣＲＳにのみ基づいて測定を実施し得る。例えば、フレキシブルサブフレームがＭＢＳＦＮサブフレームとして構成される又は動作させられる場合、ここで、ＣＲＳは、サブフレームの最初のシンボルにのみ存在するが、ＵＥは、フレキシブルサブフレームの最初のシンボルにおけるＣＲＳのみに基づいて測定を実施する。
【００８７】
[0097]図８は、本開示の特定の態様による、ワイヤレス通信のための例示的な動作８００を示す。動作８００は、例えば、ユーザ機器（ＵＥ）（例えば、ＵＥ１２０）によって実施され得る。動作８００は、８０２において、サブフレームのセット内で、アップリンク通信又はダウンリンク通信のいずれかについて動的に管理され得る１つまたは複数のフレキシブルサブフレームを識別することから始まり得る。諸態様では、ＵＥはまた、アップリンク通信又はダウンリンク通信のいずれかに専用の、１つまたは複数の固定サブフレームを識別し得る。
【００８８】
[0098]８０４において、ＵＥは、現在のフレキシブルサブフレームがアップリンク通信のためのものか又はダウンリンク通信のためのものかを決定し得る。諸態様では、ＵＥは、アップリンク又はダウンリンクのためのものとしてサブフレームを明示的に示す、ブロードキャストシグナリング又は専用シグナリングを受信することに基づいて、決定を行い得る。諸態様では、ＵＥは、アップリンク又はダウンリンク信号の存在を決定するためにブラインド検出を実施し得る。
【００８９】
[0099]８０６において、ＵＥは、決定に基づいて、チャネル測定、干渉測定、又はチャネル状態報告のうちの少なくとも１つを実施し得る。諸態様では、フレキシブルサブフレームがアップリンクのためのものであると決定された場合、ＵＥは、そのフレームについての干渉測定及び／又はチャネル状態情報（ＣＳＩ）測定フィルタリングをスキップし得る。代替的に、ＵＥは、システム帯域幅の一部又は全システム帯域幅を使用して干渉測定を実施し得る。諸態様では、ＵＥは、フレキシブルサブフレームに関するＣＳＩ報告を省略するか、又は所定の値を報告し得る。代替的に、ＵＥは、ダウンリンクチャネル測定のために使用され得るフレキシブルサブフレームの最後のシンボルにおいて、新たなＣＳＩ−ＲＳ及びＩＭＲを指定し得る。諸態様では、ＵＥは、すべてのフレキシブルサブフレームをダウンリンク測定について無効なサブフレームとして指定し得る。
【００９０】
[0100]８０８において、ＵＥは、フレキシブルサブフレームがアップリンクのためのものである場合、そのフレームについての干渉測定及び／又はＣＳＩ測定をスキップし得る。
【００９１】
[0101]８１０において、ＵＥは、現在のフレキシブルサブフレームがＵＬ通信のためのものである場合、現在のフレキシブルサブフレームについてＣＳＩ報告をスキップし得る。
【００９２】
[0102]図９は、本開示の特定の態様による、ワイヤレス通信のための例示的な操作９００を示す。操作９００は、例えば、ユーザ機器（ＵＥ）（例えば、ＵＥ１２０）によって実施され得る。操作９００は、９０２において、サブフレームのセット内で、アップリンク通信又はダウンリンク通信のいずれかについて動的に管理され得る１つまたは複数のフレキシブルサブフレームを識別することから始まり得る。
【００９３】
[0103]９０４において、ＵＥは、現在のサブフレームが固定サブフレームであるか又はフレキシブルサブフレームであるかを決定し得る。
【００９４】
[0104]９０６において、ＵＥは、決定に基づいて、ダウンリンクチャネル測定を実施し得る。諸態様では、ＵＥは、フレキシブルサブフレームをダウンリンクチャネル測定に関して無効として指定し、固定サブフレームに対してダウンリンクチャネルの測定を実施し得る。代替的に、ＵＥは、固定サブフレームにおいてＣＲＳを使用してダウンリンク測定を実施し、フレキシブルサブフレームにおいてＣＳＩ−ＲＳを使用してダウンリンク測定を実施し得る。諸態様では、フレキシブルサブフレームがＭＢＳＦＮサブフレームとして使用される場合、ダウンリンク測定は、サブフレームの最初の１つ又は２つのシンボルにおけるＣＲＳのみを使用して実施され得る。
【００９５】
[0105]図１０は、本開示の特定の態様による、ワイヤレス通信のための例示的な動作１０００を示す。動作１０００は、例えば、基地局（例えば、ＢＳ１１０）によって実施され得る。動作１０００は、１００２において、サブフレームのセット内で、アップリンク通信又はダウンリンク通信のいずれかについて動的に管理され得る１つまたは複数のフレキシブルサブフレームを識別することから始まり得る。
【００９６】
[0106]１００４において、ＢＳは、現在のフレキシブルサブフレームがアップリンク通信のためのものか又はダウンリンク通信のためのものかを決定し得る。諸態様では、ＢＳは、サブフレームをアップリンク又はダウンリンクのためのものとして明示的に示す、ブロードキャストシグナリング又は専用シグナリングをＵＥに信号送信し得る。諸態様では、ＢＳは、現在のフレキシブルサブフレームとは異なるサブフレームにおいてブロードキャスト又は専用シグナリングを伝達し得る。
【００９７】
[0107]１００６において、ＢＳは、ＵＥからＣＳＩフィードバックを受信し得る。
【００９８】
[0108]１００８において、ＢＳは、決定に基づいてＣＳＩフィードバックを処理し得る。例えば、ＢＳは、現在のフレキシブルサブフレームがダウンリンク通信のためのものである場合、現在のフレキシブルサブフレームについてＣＳＩフィードバックを処理するのみであり得る。諸態様では、ＢＳは、現在のフレキシブルサブフレームがアップリンク通信のためのものである場合、ＣＳＩフィードバックについて所定の値を仮定し得る。諸態様では、ＢＳは、現在のフレキシブルサブフレームがアップリンク通信のためのものである場合、現在のフレキシブルサブフレームの前の１つまたは複数のサブフレームにおいて実施された測定に基づいて値を仮定し得る。
【００９９】
[0109]開示されたプロセスにおける諸ステップの特定の順序又は階層は、例示的な手法の説明であることが理解される。設計の選好に基づいて、プロセスにおける諸ステップの特定の順序又は階層は、再構成され得ることが理解される。さらに、いくつかのステップが組み合わせられ、又は省略され得る。添付の方法クレームは、サンプルの順序で、様々なステップの要素を提示するものであり、提示された特定の順序又は階層に限定されることを意味するものではない。
【０１００】
[0110]本明細書で使用される場合、項目のリストの「少なくとも１つ」を指す語句は、単一の部材を含めて、これらの項目のいかなる組み合わせも指す。例として、「ａ、ｂ、又はｃのうち少なくとも１つ」は、ａ、ｂ、ｃ、ａ−ｂ、ａ−ｃ、ｂ−ｃ、及びａ−ｂ−ｃに及ぶことが意図されている。
【０１０１】
[0111]情報及び信号が、様々な異なる技術及び技法のいずれかを使用して表現され得ることを当業者ならば理解するであろう。例えば、上記の説明を通して参照され得るデータ、命令、コマンド、情報、信号、ビット、シンボル、及びチップが、電圧、電流、電磁波、磁場もしくは磁性粒子、光学場もしくは光学粒子、又はこれらの任意の組み合わせによって表現され得る。
【０１０２】
[0112]当業者ならばまた、本明細書の開示に関連して説明される、様々な例証的な論理ブロック、モジュール、回路、及びアルゴリズムステップは、電子ハードウェア、コンピュータソフトウェア、又は両者の組み合わせとして実装され得ることを理解するであろう。ハードウェア、及びソフトウェアのこの互換性を明確に説明するために、様々な例証的な部品、ブロック、モジュール、回路、及びステップが、一般に、これらの機能の点から、以上で説明されてきた。このような機能が、ハードウェアとして実装されるか又はソフトウェアとして実装されるかは、特定の用途及びシステム全体に課せられた設計制約に依存する。当業者ならば、それぞれの特定の用途について様々な方法で説明された機能を実装し得るが、このような実装の決定は、本開示の範囲からの逸脱を引き起こすと解釈されるべきではない。
【０１０３】
[0113]本明細書の開示に関連して説明された、様々な例証的な論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、もしくは他のプログラマブル論理デバイス、ディスクリートゲート、もしくはトランジスタ論理、ディスクリートハードウェア部品、又は本明細書で説明される機能を実施するように設計された、これらの任意の組み合わせを用いて、実装又は実施され得る。汎用プロセッサは、マイクロプロセッサであり得るが、代替的に、プロセッサは、従来の任意のプロセッサ、コントローラ、マイクロコントローラ、又はステートマシンであり得る。プロセッサはまた、例えば、ＤＳＰとマイクロプロセッサとの組み合わせ、複数のマイクロプロセッサの組み合わせ、ＤＳＰコアと連携する１つまたは複数のマイクロプロセッサの組み合わせ、又は他の任意の同様の構成など、演算デバイスの組み合わせとして実装され得る。
【０１０４】
[0114]本明細書の開示に関連して説明された方法、又はアルゴリズムのステップは、ハードウェア、プロセッサによって実行されるソフトウェア／ファームウェアモジュール、又はこの２つの組み合わせにおいて、直接具体化され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、又は当該技術分野で知られている他の任意の形態の記憶媒体に存在し得る。例示的な記憶媒体は、プロセッサが、記憶媒体から情報を読み取り、且つ／又は記憶媒体に情報を書き込むことができるように、プロセッサに結合される。代替的には、記憶媒体は、プロセッサにとって必須であり得る。プロセッサ及び記憶媒体は、ＡＳＩＣに存在し得る。ＡＳＩＣは、ユーザ端末に存在し得る。代替的には、プロセッサ及び記憶媒体は、ユーザ端末内の個別部品として存在し得る。一般に、図に示された動作が存在する場合には、これらの動作は、同様の番号を有する、対応する相当のミーンズプラスファンクションの構成要素を有し得る。
【０１０５】
[0115]１つまたは複数の例示的な設計では、説明された機能は、ハードウェア、ソフトウェア／ファームウェア、又はこれらの組み合わせにおいて実装され得る。ソフトウェア／ファームウェアに実装される場合、機能は、コンピュータ可読媒体において、１つまたは複数の命令又はコードとして、格納され又は伝送され得る。コンピュータ可読媒体は、ある場所から別の場所へのコンピュータプログラムの転送を容易にする任意の媒体を含む、コンピュータ記憶媒体と、通信媒体との両方を含む。記憶媒体は、汎用コンピュータ、又は専用コンピュータによってアクセスされることが可能な、いかなる利用可能な媒体でもあり得る。限定ではなく、１つの例として、このようなコンピュータ可読媒体は、ＲＡＭ、ＲＯＭ、ＥＥＰＲＯＭ、ＣＤ−ＲＯＭ、もしくは他の光ディスク記憶装置、磁気ディスク記憶装置、もしくは他の磁気記憶装置、又は命令、もしくはデータ構造の形態で、所望のプログラムコード手段を搬送、もしくは格納するように使用されることが可能であり、且つ、汎用コンピュータ、もしくは専用コンピュータ、又は汎用プロセッサ、もしくは専用プロセッサによってアクセスされることが可能である、いかなる他の媒体も備えることが可能である。また、いかなる接続も、適切に、コンピュータ可読媒体と名付けられる。例えば、ソフトウェアが、同軸ケーブル、光ファイバケーブル、対より線、デジタル加入者線（ＤＳＬ）、又は、赤外線、無線、もしくはマイクロ波等のワイヤレス技術を使用して、ウェブサイト、サーバ、又は他の遠隔ソースから伝送される場合、同軸ケーブル、光ファイバケーブル、対より線、ＤＳＬ、又は赤外線、無線、もしくはマイクロ波等のワイヤレス技術は、媒体の定義に含まれる。本明細書で使用される場合、ディスク（ｄｉｓｋ）、及びディスク（ｄｉｓｃ）は、コンパクトディスク（ｄｉｓｃ）（ＣＤ）、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、及びＢｌｕ−ｒａｙ（登録商標）ディスク（ｄｉｓｃ）を含み、ここでは、ディスク（ｄｉｓｃ）が、レーザーを用いて、光学的にデータを再生するのに対し、ディスク（ｄｉｓｋ）は、一般に、磁気的にデータを再生する。上記の組み合わせも、コンピュータ可読媒体の範囲に含まれるべきである。
【０１０６】
[0116]本開示のまたは複数の説明は、いかなる当業者であれ、本開示を製造、又は使用することができるように提供される。本開示に対する様々な修正は、当業者ならば見てすぐに分かり、且つ本明細書に定義された一般原理は、本開示の趣旨又は範囲から逸脱することなく、他の変形例に適用され得る。したがって、本開示は、本明細書に説明される例、及び設計に限定されることを意図するものではなく、本明細書に開示される原理及び新たな特徴に一致する、最も広い範囲に相当させるべきである。
以下に本願の出願当初の特許請求の範囲に記載された発明を付記する。
［Ｃ１］
ユーザ機器（ＵＥ）によるワイヤレス通信のための方法であって、
アップリンク通信又はダウンリンク通信のいずれかについて動的に管理され得る１つまたは複数のフレキシブルサブフレームをサブフレームのセット内で識別することと、
現在のフレキシブルサブフレームがアップリンク通信又はダウンリンク通信のいずれのためのものかを決定することと、
前記決定に基づいて、チャネル測定、干渉測定、又はチャネル状態報告のうちの少なくとも１つを実行することと
を備える方法。
［Ｃ２］
前記決定は、明示的なインジケーションに基づく、Ｃ１に記載の方法。
［Ｃ３］
前記明示的なインジケーションは、ブロードキャストシグナリング又は専用シグナリングのうちの少なくとも１つを介する、Ｃ２に記載の方法。
［Ｃ４］
ブロードキャストシグナリング又は専用シグナリングのうちの前記少なくとも１つは、前記現在のフレキシブルサブフレームとは異なるサブフレームにおいて伝達される、Ｃ３に記載の方法。
［Ｃ５］
前記決定は、１つまたは複数のダウンリンク信号又は１つまたは複数のアップリンク信号のうちの少なくとも１つのブラインド検出に基づく、Ｃ１に記載の方法。
［Ｃ６］
前記１つまたは複数のアップリンク信号は、サウンディング基準信号（ＳＲＳ）、物理アップリンク制御チャネル（ＰＵＣＣＨ）、又は物理アップリンク共有チャネル（ＰＵＳＣＨ）のうちの少なくとも１つを備える、Ｃ５に記載の方法。
［Ｃ７］
前記１つまたは複数のダウンリンク信号は、セル固有基準信号（ＣＲＳ）、物理制御フォーマットインジケータチャネル（ＰＣＦＩＣＨ）、復調用基準信号（ＤＭ−ＲＳ）、又は拡張された物理ダウンリンク制御チャネル（ＥＰＤＣＣＨ）のうちの少なくとも１つを備える、Ｃ５に記載の方法。
［Ｃ８］
前記決定に基づいてチャネル測定又は干渉測定を実行することが、前記現在のフレキシブルサブフレームがアップリンク通信のためのものである場合に、測定について前記現在のフレキシブルサブフレームをスキップすることを備える、Ｃ１に記載の方法。
［Ｃ９］
前記決定に基づいてチャネル測定又は干渉測定を実行することが、前記現在のフレキシブルサブフレームがアップリンク通信のためのものである場合に、システム帯域幅の一部又は全システム帯域幅を使用してチャネル測定又は干渉測定を実行することを備える、Ｃ１に記載の方法。
［Ｃ１０］
前記決定に基づいてチャネル状態報告を実行することが、前記現在のフレキシブルサブフレームがアップリンク通信のためのものである場合に、前記現在のフレキシブルサブフレームについてチャネル状態情報（ＣＳＩ）を報告することをスキップすることを備える、Ｃ１に記載の方法。
［Ｃ１１］
前記決定に基づいてチャネル状態報告を実行することが、前記現在のフレキシブルサブフレームがアップリンク通信のためのものである場合に、所定の値を報告することを備える、Ｃ１に記載の方法。
［Ｃ１２］
前記決定に基づいてチャネル状態報告を実行することが、前記現在のフレキシブルサブフレームがアップリンク通信のためのものである場合に、前記現在のフレキシブルサブフレームの前の１つまたは複数のサブフレームにおいて実行された測定に基づいて値を報告することを備える、Ｃ１に記載の方法。
［Ｃ１３］
前記決定に基づいてチャネル測定又は干渉測定を実行することが、セル固有基準信号（ＣＲＳ）、チャネル状態情報基準信号（ＣＳＩ−ＲＳ）、又は干渉測定リソース（ＩＭＲ）のうちの少なくとも１つに基づいてダウンリンクチャネル測定又は干渉測定を実行することを備える、Ｃ１に記載の方法。
［Ｃ１４］
前記決定に基づいてチャネル測定又は干渉測定を実行することが、前記現在のフレキシブルサブフレームがアップリンク通信のためのものである場合に、前記現在のフレキシブルサブフレームの最後のシンボルにおけるチャネル状態情報基準信号（ＣＳＩ−ＲＳ）又は干渉測定リソース（ＩＭＲ）のうちの少なくとも１つに基づいてダウンリンクチャネル測定を実行することを備える、Ｃ１に記載の方法。
［Ｃ１５］
物理アップリンク制御チャネル（ＰＵＣＣＨ）又は物理アップリンク共有チャネル（ＰＵＳＣＨ）のうちの少なくとも１つが、前記現在のフレキシブルサブフレームの前記最後のシンボルを使用しない、Ｃ１４に記載の方法。
［Ｃ１６］
前記現在のフレキシブルサブフレームの前記ＣＳＩ−ＲＳ又は前記ＩＭＲは、固定アップリンクサブフレームにおいてアップリンク基準信号とリソースを共有する、Ｃ１５に記載の方法。
［Ｃ１７］
基地局によるワイヤレス通信のための方法であって、
アップリンク通信又はダウンリンク通信のいずれかについて動的に管理され得る１つまたは複数のフレキシブルサブフレームをサブフレームのセット内で識別することと、
現在のフレキシブルサブフレームがアップリンク通信又はダウンリンク通信のいずれのためのものかを決定することと、
ユーザ機器（ＵＥ）からチャネル状態情報（ＣＳＩ）フィードバックを受信することと、
前記決定に基づいて前記ＣＳＩフィードバックを処理することと
を備える方法。
［Ｃ１８］
前記決定の明示的なインジケーションを前記ＵＥに送信することをさらに備える、Ｃ１７に記載の方法。
［Ｃ１９］
前記明示的なインジケーションは、ブロードキャストシグナリング又は専用シグナリングのうちの少なくとも１つを介して送信される、Ｃ１８に記載の方法。
［Ｃ２０］
ブロードキャストシグナリング又は専用シグナリングのうちの前記少なくとも１つは、前記現在のフレキシブルサブフレームとは異なるサブフレームにおいて伝達される、Ｃ１９に記載の方法。
［Ｃ２１］
前記決定に基づいて前記ＣＳＩフィードバックを処理することが、前記現在のフレキシブルサブフレームがダウンリンク通信のためのものである場合に、前記現在のフレキシブルサブフレームのためにＣＳＩフィードバックを処理することのみを備える、Ｃ１７に記載の方法。
［Ｃ２２］
前記処理することは、前記現在のフレキシブルサブフレームがアップリンク通信のためのものである場合に、前記ＣＳＩフィードバックのために所定の値を仮定することを備える、Ｃ１７に記載の方法。
［Ｃ２３］
前記ＣＳＩフィードバックを前記処理することは、前記現在のフレキシブルサブフレームがアップリンク通信のためのものである場合に、前記現在のフレキシブルサブフレームの前の１つまたは複数のサブフレームにおいて実行された測定に基づいて値を仮定することを備える、Ｃ１７に記載の方法。
［Ｃ２４］
ユーザ機器（ＵＥ）によるワイヤレス通信のための装置であって、
少なくとも１つのプロセッサであって、
アップリンク通信又はダウンリンク通信のいずれかについて動的に管理され得る１つまたは複数のフレキシブルサブフレームをサブフレームのセット内で識別することと、
現在のフレキシブルサブフレームがアップリンク通信又はダウンリンク通信のいずれのためのものかを決定することと、
前記決定に基づいて、チャネル測定、干渉測定、又はチャネル状態報告のうちの少なくとも１つを実行することと、
を行うように構成された少なくとも１つのプロセッサと、
前記少なくとも１つのプロセッサに結合されたメモリと
を備える装置。
［Ｃ２５］
前記決定は、明示的なインジケーションに基づく、Ｃ２４に記載の装置。
［Ｃ２６］
前記決定は、１つまたは複数のダウンリンク信号又は１つまたは複数のアップリンク信号のうちの少なくとも１つのブラインド検出に基づく、Ｃ２４に記載の装置。
［Ｃ２７］
前記決定に基づいてチャネル測定又は干渉測定を実行することが、前記現在のフレキシブルサブフレームがアップリンク通信のためのものである場合に、測定について前記現在のフレキシブルサブフレームをスキップすることを備える、Ｃ２４に記載の装置。
［Ｃ２８］
基地局によるワイヤレス通信のための装置であって、
少なくとも１つのプロセッサであって、
アップリンク通信又はダウンリンク通信のいずれかについて動的に管理され得る１つまたは複数のフレキシブルサブフレームをサブフレームのセット内で識別することと、
現在のフレキシブルサブフレームがアップリンク通信又はダウンリンク通信のいずれのためのものかを決定することと、
ユーザ機器（ＵＥ）からチャネル状態情報（ＣＳＩ）フィードバックを受信することと、
前記決定に基づいて前記ＣＳＩフィードバックを処理することと、
を行うように構成された少なくとも１つのプロセッサと、
前記少なくとも１つのプロセッサに結合されたメモリと
を備える装置。
［Ｃ２９］
前記少なくとも１つのプロセッサは、前記決定の明示的なインジケーションを、前記ＵＥに送信するようにさらに構成されている、Ｃ２８に記載の装置。
［Ｃ３０］
前記決定に基づいて前記ＣＳＩフィードバックを処理することが、前記現在のフレキシブルサブフレームがダウンリンク通信のためのものである場合に、前記現在のフレキシブルサブフレームについてＣＳＩフィードバックを処理することのみを備える、Ｃ２８に記載の装置。
【図１】
0006342482.tif 000002
【図２】
0006342482.tif 000003
【図２Ａ】
0006342482.tif 000004
【図３】
0006342482.tif 000005
【図４】
0006342482.tif 000006
【図５】
0006342482.tif 000007
【図６】
0006342482.tif 000008
【図７】
0006342482.tif 000009
【図８】
0006342482.tif 000010
【図９】
0006342482.tif 000011
【図１０】
0006342482.tif 000012